(57)【要約】  本開示は、データ伝送方法、端末、ネットワーク側機器およびコンピュータ読み取り可能な記憶媒体を提供する。端末に応用されるデータ伝送方法において、ベアラ用のパケット複製モードがネットワーク側によって設定または活性化された場合、端末が、複製後の伝送データを異なるＲＬＣエンティティにそれぞれ送信するステップと、異なるＲＬＣエンティティのうちの１つのＲＬＣエンティティが、伝送データを１つの論理チャネルでメインＭＡＣエンティティに送信し、残りの各ＲＬＣエンティティが、伝送データを異なる論理チャネルで異なる補助ＭＡＣエンティティにそれぞれ送信するステップと、メインＭＡＣエンティティと補助ＭＡＣエンティティが、伝送データを異なる搬送波でネットワーク側にそれぞれ送信するステップとを含む。【選択図】  図５
2020515195.tif 000002
【特許請求の範囲】
【請求項１】
端末に応用されるデータ伝送方法において、
ベアラ用のパケット複製モードがネットワーク側によって設定または活性化された場合、前記端末が、複製後の伝送データを異なるＲＬＣ（Ｒａｄｉｏ  Ｌｉｎｋ  Ｃｏｎｔｒｏｌ）エンティティにそれぞれ送信するステップと、
前記異なるＲＬＣエンティティのうちの１つのＲＬＣエンティティが、前記伝送データを１つの論理チャネルでメインＭＡＣ（Ｍｅｄｉａ  Ａｃｃｅｓｓ  Ｃｏｎｔｒｏｌ）エンティティに送信し、残りの各ＲＬＣエンティティが、前記伝送データを異なる論理チャネルで異なる補助ＭＡＣエンティティにそれぞれ送信するステップと、
前記メインＭＡＣエンティティと前記補助ＭＡＣエンティティが、前記伝送データを異なる搬送波でネットワーク側にそれぞれ送信するステップと、
を含むデータ伝送方法。
【請求項２】
前記論理チャネルのそれぞれは、１つのＲＬＣエンティティに対応し、
前記論理チャネルのそれぞれは、１つのＭＡＣエンティティに対応する請求項１に記載のデータ伝送方法。
【請求項３】
前記補助ＭＡＣエンティティは、前記メインＭＡＣエンティティとともに確立される請求項１に記載のデータ伝送方法。
【請求項４】
ベアラ用のパケット複製モードがネットワーク側によって設定または活性化された場合、前記端末が、前記パケット複製モードのベアラに対応する補助ＭＡＣエンティティを確立するステップをさらに含む請求項１に記載のデータ伝送方法。
【請求項５】
ベアラ用のパケット複製モードがネットワーク側によって設定解除または非活性化された場合、前記端末が、前記パケット複製モードのベアラに対応する補助ＭＡＣエンティティをリリースするステップをさらに含む請求項４に記載のデータ伝送方法。
【請求項６】
前記端末が、複製後の伝送データを異なるＲＬＣエンティティにそれぞれ送信するステップの前に、
ネットワーク側から半静的または動的に設定された前記搬送波とメインＭＡＣエンティティおよび補助ＭＡＣエンティティとのマッピング関係を受信するステップをさらに含む請求項１に記載のデータ伝送方法。
【請求項７】
前記端末が、複製後の伝送データを異なるＲＬＣエンティティにそれぞれ送信するステップの前に、
ネットワーク側から半静的または動的に設定された前記論理チャネルとメインＭＡＣエンティティおよび補助ＭＡＣエンティティとのマッピング関係、または、前記論理チャネルと搬送波とのマッピング関係を受信するステップをさらに含む請求項１に記載のデータ伝送方法。
【請求項８】
前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である請求項１に記載のデータ伝送方法。
【請求項９】
補助ＭＡＣエンティティがリリースされた場合、リリースされた補助ＭＡＣエンティティに搬送された論理チャネルであって、パケット複製モードの設定または活性化が行われていないベアラに対応する論理チャネルは、自動的にメインＭＡＣエンティティに移行して搬送される請求項８に記載のデータ伝送方法。
【請求項１０】
前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である請求項１に記載のデータ伝送方法。
【請求項１１】
ＢＳＲ（Ｂｕｆｆｅｒ  Ｓｔａｔｅ  Ｒｅｐｏｒｔｉｎｇ）報告トリガー判断を行うステップと、
ＢＳＲの報告が必要であると判断された場合、メインＭＡＣエンティティおよび補助ＭＡＣエンティティに対応する論理チャネルまたは論理チャネル群のバッファデータ量をネットワーク側に報告するステップとをさらに含む請求項１に記載のデータ伝送方法。
【請求項１２】
前記端末に基づいてＢＳＲ報告トリガー判断を行う請求項１１に記載のデータ伝送方法。
【請求項１３】
前記メインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティのうちのいずれか１つのＭＡＣエンティティに対応する搬送波で、メインＭＡＣエンティティおよび補助ＭＡＣエンティティに対応する論理チャネルまたは論理チャネル群のバッファデータ量をネットワーク側に報告するステップを含む請求項１２に記載のデータ伝送方法。
【請求項１４】
前記メインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティに対応する論理チャネルまたは論理チャネル群のバッファデータ量を１つのＢＳＲ  ＭＡＣ  ＣＥ（Ｃｏｎｔｒｏｌ  Ｅｌｅｍｅｎｔ）でネットワーク側に報告するステップを含む請求項１３に記載のデータ伝送方法。
【請求項１５】
前記メインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティに対応する論理チャネルまたは論理チャネル群のバッファデータ量を１つのＭＡＣ  ＰＤＵ（Ｐｒｏｔｏｃｏｌ  Ｄａｔａ  Ｕｎｉｔ）のうちの複数の独立なＢＳＲ  ＭＡＣ  ＣＥでネットワーク側に報告するステップを含む請求項１３に記載のデータ伝送方法。
【請求項１６】
ＭＡＣエンティティに基づいてＢＳＲ報告トリガー判断を行う請求項１１に記載のデータ伝送方法。
【請求項１７】
前記メインＭＡＣエンティティおよび補助ＭＡＣエンティティに対応する論理チャネルまたは論理チャネル群のバッファデータ量をネットワーク側に報告するステップは、
本ＭＡＣエンティティに対応する搬送波またはほかのＭＡＣエンティティに対応する搬送波で、メインＭＡＣエンティティおよび補助ＭＡＣエンティティに対応する論理チャネルまたは論理チャネル群のバッファデータ量をネットワーク側に報告するステップを含む請求項１６に記載のデータ伝送方法。
【請求項１８】
前記メインＭＡＣエンティティおよび補助ＭＡＣエンティティに対応する論理チャネルまたは論理チャネル群のバッファデータ量をネットワーク側に報告するステップは、
ＢＳＲ  ＭＡＣ  ＣＥ伝送用の搬送波を制限せずかつ異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別するステップを含む請求項１４、１５、１７のいずれか一項に記載のデータ伝送方法。
【請求項１９】
前記端末が、複製後の伝送データを異なるＲＬＣエンティティにそれぞれ送信するステップの前に、
ベアラ用のパケット複製モードをサポートする能力指示情報が付帯された端末能力をネットワーク側に送信するステップをさらに含む請求項１に記載のデータ伝送方法。
【請求項２０】
ネットワーク側機器に応用されるデータ伝送方法において、
ベアラ用のパケット複製モードを設定または活性化する場合、前記ネットワーク側機器のメインＭＡＣエンティティおよび補助ＭＡＣエンティティが、端末から送信された複製後の伝送データを異なる搬送波でそれぞれ受信するステップと、
前記メインＭＡＣエンティティおよび補助ＭＡＣエンティティが、前記伝送データを異なる論理チャネルで異なるＲＬＣエンティティに送信するステップと、
前記ＲＬＣエンティティが、受信した伝送データをＰＤＣＰ（Ｐａｃｋｅｔ  Ｄａｔａ  Ｃｏｎｖｅｒｇｅｎｃｅ  Ｐｒｏｔｏｃｏｌ）エンティティに送信するステップと、
を含むデータ伝送方法。
【請求項２１】
前記論理チャネルのそれぞれは、１つのＲＬＣエンティティに対応し、
前記論理チャネルのそれぞれは、１つのＭＡＣエンティティに対応する請求項２０に記載のデータ伝送方法。
【請求項２２】
ベアラの複製は、ＰＤＣＰエンティティによって実行され、または、ＰＤＣＰ層より上のプロトコル層によって実行される請求項２０に記載のデータ伝送方法。
【請求項２３】
前記補助ＭＡＣエンティティは、前記メインＭＡＣエンティティとともに確立される請求項２０に記載のデータ伝送方法。
【請求項２４】
ベアラ用のパケット複製モードを設定または活性化する場合、前記パケット複製モードのベアラに対応する補助ＭＡＣエンティティを確立するステップ、
または、
前記ネットワーク側機器によって、そのサービス対象であるすべての端末のうちの最初の端末用のパケット複製モードが設定または活性化された場合、前記パケット複製モードのベアラに対応する補助ＭＡＣエンティティを確立するステップをさらに含む請求項２０に記載のデータ伝送方法。
【請求項２５】
ベアラ用のパケット複製モードを設定解除または非活性化する場合、前記パケット複製モードのベアラに対応する補助ＭＡＣエンティティをリリースするステップ、
または、
前記ネットワーク側機器のサービス対象であるすべてのベアラのうち、パケット複製モードの最終ベアラ用のパケット複製モードを設定解除または非活性化する場合、前記パケット複製モードのベアラに対応する補助ＭＡＣエンティティをリリースするステップをさらに含む請求項２４に記載のデータ伝送方法。
【請求項２６】
ベアラ用のパケット複製モードを設定または活性化する場合、前記搬送波とメインＭＡＣエンティティおよび補助ＭＡＣエンティティとのマッピング関係を、半静的または動的に前記端末に対し設定するステップをさらに含む請求項２０に記載のデータ伝送方法。
【請求項２７】
ベアラ用のパケット複製モードを設定または活性化する場合、前記論理チャネルとメインＭＡＣエンティティおよび補助ＭＡＣエンティティとのマッピング関係、または、前記論理チャネルと搬送波とのマッピング関係を、半静的または動的に前記端末に対し設定するステップをさらに含む請求項２０に記載のデータ伝送方法。
【請求項２８】
前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である請求項２０に記載のデータ伝送方法。
【請求項２９】
補助ＭＡＣエンティティがリリースされた場合、リリースされた補助ＭＡＣエンティティに搬送された論理チャネルであって、パケット複製モードの設定または活性化が行われていないベアラに対応する論理チャネルは、自動的にメインＭＡＣエンティティに移行して搬送される請求項２８に記載のデータ伝送方法。
【請求項３０】
前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である請求項２０に記載のデータ伝送方法。
【請求項３１】
端末のメインＭＡＣエンティティおよび補助ＭＡＣエンティティに対応する論理チャネルまたは論理チャネル群のバッファデータ量を端末から受信し、端末のメインＭＡＣエンティティおよび補助ＭＡＣエンティティに対応する論理チャネルまたは論理チャネル群のバッファデータ量に基づいて、アップリンクリソーススケジューリングを行うステップをさらに含む請求項２０に記載のデータ伝送方法。
【請求項３２】
ベアラ用のパケット複製モードを設定または活性化するステップの前に、
ベアラ用のパケット複製モードをサポートする能力指示情報が付帯された端末能力を端末から受信するステップをさらに含む請求項２０に記載のデータ伝送方法。
【請求項３３】
ベアラ用のパケット複製モードがネットワーク側によって設定または活性化された場合、複製後の伝送データを異なるＲＬＣエンティティにそれぞれ送信する第１送信モジュールと、
前記異なるＲＬＣエンティティのうちの１つのＲＬＣエンティティが、前記伝送データを１つの論理チャネルでメインＭＡＣエンティティに送信し、残りの各ＲＬＣエンティティが、前記伝送データを異なる論理チャネルで異なる補助ＭＡＣエンティティにそれぞれ送信するようにトリガーする第２送信モジュールと、
前記メインＭＡＣエンティティと前記補助ＭＡＣエンティティが、前記伝送データを異なる搬送波でネットワーク側にそれぞれ送信するようにトリガーする第３送信モジュールと、
を含む端末。
【請求項３４】
前記論理チャネルのそれぞれは、１つのＲＬＣエンティティに対応し、
前記論理チャネルのそれぞれは、１つのＭＡＣエンティティに対応する請求項３３に記載の端末。
【請求項３５】
メインＭＡＣエンティティの確立ととも前記補助ＭＡＣエンティティを確立する第１確立モジュールをさらに含む請求項３３に記載の端末。
【請求項３６】
ベアラ用のパケット複製モードがネットワーク側によって設定または活性化された場合、前記パケット複製モードのベアラに対応する補助ＭＡＣエンティティを確立する第２確立モジュールをさらに含む請求項３３に記載の端末。
【請求項３７】
ベアラ用のパケット複製モードがネットワーク側によって設定解除または非活性化された場合、前記パケット複製モードのベアラに対応する補助ＭＡＣエンティティをリリースするリリースモジュールをさらに含む請求項３３に記載の端末。
【請求項３８】
ネットワーク側から半静的または動的に設定された前記搬送波とメインＭＡＣエンティティおよび補助ＭＡＣエンティティとのマッピング関係を受信する第１受信モジュールをさらに含む請求項３３に記載の端末。
【請求項３９】
ネットワーク側から半静的または動的に設定された前記論理チャネルとメインＭＡＣエンティティおよび補助ＭＡＣエンティティとのマッピング関係、または、前記論理チャネルと搬送波とのマッピング関係を受信する第２受信モジュールをさらに含む請求項３３に記載の端末。
【請求項４０】
前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である請求項３３に記載の端末。
【請求項４１】
補助ＭＡＣエンティティがリリースされた場合、リリースされた補助ＭＡＣエンティティに搬送された論理チャネルであって、パケット複製モードの設定または活性化が行われていないベアラに対応する論理チャネルが自動的にメインＭＡＣエンティティに移行して搬送される移行モジュールをさらに含む請求項４０に記載の端末。
【請求項４２】
前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である請求項３３に記載の端末。
【請求項４３】
ＢＳＲ報告トリガー判断を行う判断モジュールと、
ＢＳＲの報告が必要であると判断された場合、メインＭＡＣエンティティおよび補助ＭＡＣエンティティに対応する論理チャネルまたは論理チャネル群のバッファデータ量をネットワーク側に報告する報告モジュールとをさらに含む請求項３３に記載の端末。
【請求項４４】
前記判断モジュールは、前記端末に基づいてＢＳＲ報告トリガー判断を行う請求項４３に記載の端末。
【請求項４５】
前記報告モジュールは、さらに、
メインＭＡＣエンティティおよび補助ＭＡＣエンティティのうちのいずれか１つのＭＡＣエンティティに対応する搬送波で、メインＭＡＣエンティティおよび補助ＭＡＣエンティティに対応する論理チャネルまたは論理チャネル群のバッファデータ量をネットワーク側に報告する請求項４４に記載の端末。
【請求項４６】
前記報告モジュールは、さらに、
メインＭＡＣエンティティおよび補助ＭＡＣエンティティに対応する論理チャネルまたは論理チャネル群のバッファデータ量を１つのＢＳＲ  ＭＡＣ  ＣＥでネットワーク側に報告する請求項４５に記載の端末。
【請求項４７】
前記報告モジュールは、さらに、
メインＭＡＣエンティティおよび補助ＭＡＣエンティティに対応する論理チャネルまたは論理チャネル群のバッファデータ量を１つのＭＡＣ  ＰＤＵのうちの複数の独立なＢＳＲ  ＭＡＣ  ＣＥでネットワーク側に報告する請求項４５に記載の端末。
【請求項４８】
前記判断モジュールは、
ＭＡＣエンティティに基づいてＢＳＲ報告トリガー判断を行う請求項４３に記載の端末。
【請求項４９】
前記報告モジュールは、さらに、
本ＭＡＣエンティティに対応する搬送波またはほかのＭＡＣエンティティに対応する搬送波で、メインＭＡＣエンティティおよび補助ＭＡＣエンティティに対応する論理チャネルまたは論理チャネル群のバッファデータ量をネットワーク側に報告する請求項４８に記載の端末。
【請求項５０】
前記報告モジュールは、さらに、
ＢＳＲ  ＭＡＣ  ＣＥ伝送用の搬送波を制限せずかつ異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別する請求項４６、４７、４９のいずれか一項に記載の端末。
【請求項５１】
ベアラ用のパケット複製モードをサポートする能力指示情報が付帯された端末能力をネットワーク側に送信する端末能力送信モジュールをさらに含む請求項３３に記載の端末。
【請求項５２】
ベアラ用のパケット複製モードを設定または活性化する場合、メインＭＡＣエンティティおよび補助ＭＡＣエンティティが、端末から送信された複製後の伝送データを異なる搬送波でそれぞれ受信するようにトリガーする受信モジュールと、
前記メインＭＡＣエンティティおよび補助ＭＡＣエンティティが、前記伝送データを異なる論理チャネルで異なるＲＬＣエンティティに送信するようにトリガーする第１送信モジュールと、
前記ＲＬＣエンティティが、受信した伝送データをＰＤＣＰエンティティに送信するようにトリガーする第２送信モジュールとを含むネットワーク側機器。
【請求項５３】
前記論理チャネルのそれぞれは、１つのＲＬＣエンティティに対応し、
前記論理チャネルのそれぞれは、１つのＭＡＣエンティティに対応する請求項５２に記載のネットワーク側機器。
【請求項５４】
ＰＤＣＰエンティティ、または、ＰＤＣＰ層より上のプロトコル層によってベアラの複製を実行するようにトリガーするベアラ複製実行モジュールをさらに含む請求項５２に記載のネットワーク側機器。
【請求項５５】
メインＭＡＣエンティティの確立とともに前記補助ＭＡＣエンティティを確立する第１確立モジュールをさらに含む請求項５２に記載のネットワーク側機器。
【請求項５６】
ベアラ用のパケット複製モードを設定または活性化する場合、前記パケット複製モードのベアラに対応する補助ＭＡＣエンティティを確立する第２確立モジュール、
または、
サービス対象であるすべての端末のうちの最初の端末のパケット複製モードが設定または活性化された場合、前記パケット複製モードのベアラに対応する補助ＭＡＣエンティティを確立する第３確立モジュールをさらに含む請求項５２に記載のネットワーク側機器。
【請求項５７】
ベアラ用のパケット複製モードを設定解除または非活性化する場合、前記パケット複製モードのベアラに対応する補助ＭＡＣエンティティをリリースする第１リリースモジュール、
または、
前記ネットワーク側機器のサービス対象であるすべてのベアラのうち、パケット複製モードの最終ベアラ用のパケット複製モードを設定解除または非活性化する場合、前記パケット複製モードのベアラに対応する補助ＭＡＣエンティティをリリースする第２リリースモジュールをさらに含む請求項５６に記載のネットワーク側機器。
【請求項５８】
ベアラ用のパケット複製モードを設定または活性化する場合、前記搬送波とメインＭＡＣエンティティおよび補助ＭＡＣエンティティとのマッピング関係を、半静的または動的に前記端末に対し設定する第１設定モジュールをさらに含む請求項５２に記載のネットワーク側機器。
【請求項５９】
ベアラ用のパケット複製モードを設定または活性化する場合、前記論理チャネルとメインＭＡＣエンティティおよび補助ＭＡＣエンティティとのマッピング関係、または、前記論理チャネルと搬送波とのマッピング関係を、半静的または動的に前記端末に対し設定する第２設定モジュールをさらに含む請求項５２に記載のネットワーク側機器。
【請求項６０】
前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である請求項５２に記載のネットワーク側機器。
【請求項６１】
補助ＭＡＣエンティティがリリースされた場合、リリースされた補助ＭＡＣエンティティに搬送された論理チャネルであって、パケット複製モードの設定または活性化が行われていないベアラに対応する論理チャネルが自動的にメインＭＡＣエンティティに移行して搬送される移行モジュールをさらに含む請求項６０に記載のネットワーク側機器。
【請求項６２】
前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である請求項５２に記載のネットワーク側機器。
【請求項６３】
端末のメインＭＡＣエンティティおよび補助ＭＡＣエンティティに対応する論理チャネルまたは論理チャネル群のバッファデータ量を端末から受信し、端末のメインＭＡＣエンティティおよび補助ＭＡＣエンティティに対応する論理チャネルまたは論理チャネル群のバッファデータ量に基づいて、アップリンクリソーススケジューリングを行うスケジューリングモジュールをさらに含む請求項５２に記載のネットワーク側機器。
【請求項６４】
ベアラ用のパケット複製モードをサポートする能力指示情報が付帯された端末能力を端末から受信する端末能力受信モジュールをさらに含む請求項５２に記載のネットワーク側機器。
【請求項６５】
コンピュータプログラムが格納されているコンピュータ読み取り可能な記憶媒体であって、
当該プログラムがプロセッサによって実行されると、請求項１〜１９または請求項２０〜３２のいずれか一項に記載のデータ伝送方法のステップが実現されるコンピュータ読み取り可能な記憶媒体。
【請求項６６】
プロセッサと、メモリとを含む端末において、
プロセッサは、メモリからプログラムを読み取ることによって、請求項１〜１９のいずれか一項に記載のデータ伝送方法のステップを実行する端末。
【請求項６７】
プロセッサと、メモリとを含むネットワーク側機器において、
プロセッサは、メモリからプログラムを読み取ることによって、請求項２０〜３２のいずれか一項に記載のデータ伝送方法のステップを実行するネットワーク側機器。
【発明の詳細な説明】
【技術分野】
【０００１】
本願は、２０１７年３月２４日に中国特許庁に提出された中国特許出願２０１７１０１８３００６．０の優先権を主張し、その全ての内容が援用によりここに取り込まれる。
本開示は、通信技術分野に係り、特にデータ伝送方法、端末、ネットワーク側機器およびコンピュータ読み取り可能な記憶媒体に係る。
【背景技術】
【０００２】
５Ｇ  ＮＲ（Ｎｅｗ  Ｒａｄｉｏ）システムにおいて、主に、１）ｅＭＢＢ（ｅｎｈａｎｃｅｄ  Ｍｏｂｉｌｅ  Ｂｒｏａｄｂａｎｄ）、２）ｍＭＴＣ（ｍａｓｓｉｖｅ  Ｍａｃｈｉｎｅ  Ｔｙｐｅ  Ｃｏｍｍｕｎｉｃａｔｉｏｎｓ）、３）ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）の３種類のサービスがサポートされる。ＵＲＬＬＣの場合、遅延と信頼性に対し高く求めるため、現在、３ＧＰＰにおいて、解決策としてｐａｃｋｅｔ  ｄｕｐｌｉｃａｔｉｏｎ（パケット複製モード）の使用が提案され、すなわち、複数の論理チャネルで同一の伝送データを伝送することによって、伝送の信頼性を向上させるとともに、伝送遅延を低下させる。
【０００３】
図１を参照する。図１は、従来技術におけるパケット複製モードのモデル図であり、ＰＤＣＰ（Ｐａｃｋｅｔ  Ｄａｔａ  Ｃｏｎｖｅｒｇｅｎｃｅ  Ｐｒｏｔｏｃｏｌ）層から始まるパケット複製を例とする。図１によれば、ＰＤＣＰ層の１つの無線ベアラ（１つの無線ベアラに１つのＰＤＣＰエンティティが対応する）は、ＲＬＣ（無線リンク制御プロトコル）層で複数の論路チャネルでそれぞれ伝送を行う（１つの論理チャネルに１つのＲＬＣエンティティが対応する）。しかし、パケット複製モードのベアラをＭＡＣ層でどのように伝送するかは、現在、まだ結論がない。
【発明の概要】
【発明が解決しようとする課題】
【０００４】
これに鑑みて、本開示は、パケット複製モードのベアラをＭＡＣ層でどのように伝送するかという問題を解決するために、データ伝送方法、端末およびネットワーク側機器を提供する。
【課題を解決するための手段】
【０００５】
上記の技術課題を解決するために、本開示は、端末に応用されるデータ伝送方法を提供する。当該方法において、
ベアラ用のパケット複製モードがネットワーク側によって設定または活性化された場合、前記端末が、複製後の伝送データを異なるＲＬＣ（Ｒａｄｉｏ  Ｌｉｎｋ  Ｃｏｎｔｒｏｌ）エンティティにそれぞれ送信するステップと、
前記異なるＲＬＣエンティティのうちの１つのＲＬＣエンティティが、前記伝送データを１つの論理チャネルでメインＭＡＣ（Ｍｅｄｉａ  Ａｃｃｅｓｓ  Ｃｏｎｔｒｏｌ）エンティティに送信し、残りの各ＲＬＣエンティティが、前記伝送データを異なる論理チャネルで異なる補助ＭＡＣエンティティにそれぞれ送信するステップと、
前記メインＭＡＣエンティティと前記補助ＭＡＣエンティティが、前記伝送データを異なる搬送波でネットワーク側にそれぞれ送信するステップと、
を含む。
【０００６】
選択可能に、前記論理チャネルのそれぞれは、１つのＲＬＣエンティティに対応し、
前記論理チャネルのそれぞれは、１つのＭＡＣエンティティに対応する。
【０００７】
選択可能に、前記補助ＭＡＣエンティティは、前記メインＭＡＣエンティティとともに確立される。
【０００８】
選択可能に、前記データ伝送方法において、ベアラ用のパケット複製モードがネットワーク側によって設定または活性化された場合、前記端末が、前記パケット複製モードのベアラに対応する補助ＭＡＣエンティティを確立するステップをさらに含む。
【０００９】
選択可能に、前記データ伝送方法において、ベアラ用のパケット複製モードがネットワーク側によって設定解除または非活性化された場合、前記端末が、前記パケット複製モードのベアラに対応する補助ＭＡＣエンティティをリリースするステップをさらに含む。
【００１０】
選択可能に、前記端末が、複製後の伝送データを異なるＲＬＣエンティティにそれぞれ送信するステップの前に、
ネットワーク側から半静的または動的に設定された前記搬送波とメインＭＡＣエンティティおよび補助ＭＡＣエンティティとのマッピング関係を受信するステップをさらに含む。
【００１１】
選択可能に、前記端末が、複製後の伝送データを異なるＲＬＣエンティティにそれぞれ送信するステップの前に、
ネットワーク側から半静的または動的に設定された前記論理チャネルとメインＭＡＣエンティティおよび補助ＭＡＣエンティティとのマッピング関係、または、前記論理チャネルと搬送波とのマッピング関係を受信するステップをさらに含む。
【００１２】
選択可能に、前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である。
【００１３】
選択可能に、補助ＭＡＣエンティティがリリースされた場合、リリースされた補助ＭＡＣエンティティに搬送された論理チャネルであって、パケット複製モードの設定または活性化が行われていないベアラに対応する論理チャネルは、自動的にメインＭＡＣエンティティに移行して搬送される。
【００１４】
選択可能に、前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である。
【００１５】
選択可能に、前記データ伝送方法において、
ＢＳＲ（Ｂｕｆｆｅｒ  Ｓｔａｔｅ  Ｒｅｐｏｒｔｉｎｇ）報告トリガー判断を行うステップと、
ＢＳＲの報告が必要であると判断された場合、メインＭＡＣエンティティおよび補助ＭＡＣエンティティに対応する論理チャネルまたは論理チャネル群のバッファデータ量をネットワーク側に報告するステップとをさらに含む。
【００１６】
選択可能に、前記端末に基づいてＢＳＲ報告トリガー判断を行う。
【００１７】
選択可能に、前記のメインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティのうちのいずれか１つのＭＡＣエンティティに対応する搬送波で、メインＭＡＣエンティティおよび補助ＭＡＣエンティティに対応する論理チャネルまたは論理チャネル群のバッファデータ量をネットワーク側に報告するステップを含む。
【００１８】
選択可能に、前記のメインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティに対応する論理チャネルまたは論理チャネル群のバッファデータ量を１つのＢＳＲ  ＭＡＣ  ＣＥ（Ｃｏｎｔｒｏｌ  Ｅｌｅｍｅｎｔ）でネットワーク側に報告するステップを含む。
【００１９】
選択可能に、前記のメインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティに対応する論理チャネルまたは論理チャネル群のバッファデータ量を１つのＭＡＣ  ＰＤＵ（Ｐｒｏｔｏｃｏｌ  Ｄａｔａ  Ｕｎｉｔ）のうちの複数の独立なＢＳＲ  ＭＡＣ  ＣＥでネットワーク側に報告するステップを含む。
【００２０】
選択可能に、ＭＡＣエンティティに基づいてＢＳＲ報告トリガー判断を行う。
【００２１】
選択可能に、前記のメインＭＡＣエンティティおよび補助ＭＡＣエンティティに対応する論理チャネルまたは論理チャネル群のバッファデータ量をネットワーク側に報告するステップは、
本ＭＡＣエンティティに対応する搬送波またはほかのＭＡＣエンティティに対応する搬送波で、メインＭＡＣエンティティおよび補助ＭＡＣエンティティに対応する論理チャネルまたは論理チャネル群のバッファデータ量をネットワーク側に報告するステップを含む。
【００２２】
選択可能に、前記のメインＭＡＣエンティティおよび補助ＭＡＣエンティティに対応する論理チャネルまたは論理チャネル群のバッファデータ量をネットワーク側に報告するステップは、
ＢＳＲ  ＭＡＣ  ＣＥ伝送用の搬送波を制限せずかつ異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別するステップを含む。
【００２３】
選択可能に、前記端末が、複製後の伝送データを異なるＲＬＣエンティティにそれぞれ送信するステップの前に、
ベアラ用のパケット複製モードをサポートする能力指示情報が付帯された端末能力をネットワーク側に送信するステップをさらに含む。
【００２４】
本開示は、ネットワーク側機器に応用されるデータ伝送方法を提供する。当該方法において、
ベアラ用のパケット複製モードを設定または活性化する場合、前記ネットワーク側機器のメインＭＡＣエンティティおよび補助ＭＡＣエンティティが、端末から送信された複製後の伝送データを異なる搬送波でそれぞれ受信するステップと、
前記メインＭＡＣエンティティおよび補助ＭＡＣエンティティが、前記伝送データを異なる論理チャネルで異なるＲＬＣエンティティに送信するステップと、
前記ＲＬＣエンティティが、受信した伝送データをＰＤＣＰ（Ｐａｃｋｅｔ  Ｄａｔａ  Ｃｏｎｖｅｒｇｅｎｃｅ  Ｐｒｏｔｏｃｏｌ）エンティティに送信するステップと、
を含む。
【００２５】
選択可能に、前記論理チャネルのそれぞれは、１つのＲＬＣエンティティに対応し、
前記論理チャネルのそれぞれは、１つのＭＡＣエンティティに対応する。
【００２６】
選択可能に、ベアラの複製は、ＰＤＣＰエンティティによって実行され、または、ＰＤＣＰ層より上のプロトコル層によって実行される。
【００２７】
選択可能に、前記補助ＭＡＣエンティティは、前記メインＭＡＣエンティティとともに確立される。
【００２８】
選択可能に、前記データ伝送方法において、
ベアラ用のパケット複製モードを設定または活性化する場合、前記パケット複製モードのベアラに対応する補助ＭＡＣエンティティを確立するステップ、
または、
前記ネットワーク側機器によって、そのサービス対象であるすべての端末のうちの最初の端末のパケット複製モードが設定または活性化された場合、前記パケット複製モードのベアラに対応する補助ＭＡＣエンティティを確立するステップをさらに含む。
【００２９】
選択可能に、前記データ伝送方法において、
ベアラ用のパケット複製モードを設定解除または非活性化する場合、前記パケット複製モードのベアラに対応する補助ＭＡＣエンティティをリリースするステップ、
または、
前記ネットワーク側機器のサービス対象であるすべてのベアラのうち、パケット複製モードの最終ベアラ用のパケット複製モードを設定解除または非活性化する場合、前記パケット複製モードのベアラに対応する補助ＭＡＣエンティティをリリースするステップをさらに含む。
【００３０】
選択可能に、前記データ伝送方法において、
ベアラ用のパケット複製モードを設定または活性化する場合、前記搬送波とメインＭＡＣエンティティおよび補助ＭＡＣエンティティとのマッピング関係を、半静的または動的に前記端末に対し設定するステップをさらに含む。
【００３１】
選択可能に、前記データ伝送方法において、ベアラ用のパケット複製モードを設定または活性化する場合、前記論理チャネルとメインＭＡＣエンティティおよび補助ＭＡＣエンティティとのマッピング関係、または、前記論理チャネルと搬送波とのマッピング関係を、半静的または動的に前記端末に対し設定するステップをさらに含む。
【００３２】
選択可能に、前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である。
【００３３】
選択可能に、補助ＭＡＣエンティティがリリースされた場合、リリースされた補助ＭＡＣエンティティに搬送された論理チャネルであって、パケット複製モードの設定または活性化が行われていないベアラに対応する論理チャネルは、自動的にメインＭＡＣエンティティに移行して搬送される。
【００３４】
選択可能に、前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である。
【００３５】
選択可能に、前記データ伝送方法において、
端末のメインＭＡＣエンティティおよび補助ＭＡＣエンティティに対応する論理チャネルまたは論理チャネル群のバッファデータ量を端末から受信し、端末のメインＭＡＣエンティティおよび補助ＭＡＣエンティティに対応する論理チャネルまたは論理チャネル群のバッファデータ量に基づいて、アップリンクリソーススケジューリングを行うステップをさらに含む。
【００３６】
選択可能に、ベアラ用のパケット複製モードを設定または活性化するステップの前に、
ベアラ用のパケット複製モードをサポートする能力指示情報が付帯された端末能力を端末から受信するステップをさらに含む。
【００３７】
本開示は、端末を提供する。当該端末は、
ベアラ用のパケット複製モードがネットワーク側によって設定または活性化された場合、複製後の伝送データを異なるＲＬＣエンティティにそれぞれ送信する第１送信モジュールと、
前記異なるＲＬＣエンティティのうちの１つのＲＬＣエンティティが、前記伝送データを１つの論理チャネルでメインＭＡＣエンティティに送信し、残りの各ＲＬＣエンティティが、前記伝送データを異なる論理チャネルで異なる補助ＭＡＣエンティティにそれぞれ送信するようにトリガーする第２送信モジュールと、
前記メインＭＡＣエンティティと前記補助ＭＡＣエンティティが、前記伝送データを異なる搬送波でネットワーク側にそれぞれ送信するようにトリガーする第３送信モジュールと、
を含む。
【００３８】
選択可能に、前記論理チャネルのそれぞれは、１つのＲＬＣエンティティに対応し、
前記論理チャネルのそれぞれは、１つのＭＡＣエンティティに対応する。
【００３９】
選択可能に、前記端末は、メインＭＡＣエンティティの確立ととも前記補助ＭＡＣエンティティを確立する第１確立モジュールをさらに含む。
【００４０】
選択可能に、前記端末は、ベアラ用のパケット複製モードがネットワーク側によって設定または活性化された場合、前記パケット複製モードのベアラに対応する補助ＭＡＣエンティティを確立する第２確立モジュールをさらに含む。
【００４１】
選択可能に、前記端末は、ベアラ用のパケット複製モードがネットワーク側によって設定解除または非活性化された場合、前記パケット複製モードのベアラに対応する補助ＭＡＣエンティティをリリースするリリースモジュールをさらに含む。
【００４２】
選択可能に、前記端末は、ネットワーク側から半静的または動的に設定された前記搬送波とメインＭＡＣエンティティおよび補助ＭＡＣエンティティとのマッピング関係を受信する第１受信モジュールをさらに含む。
【００４３】
選択可能に、前記端末は、ネットワーク側から半静的または動的に設定された前記論理チャネルとメインＭＡＣエンティティおよび補助ＭＡＣエンティティとのマッピング関係、または、前記論理チャネルと搬送波とのマッピング関係を受信する第２受信モジュールをさらに含む。
【００４４】
選択可能に、前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である。
【００４５】
選択可能に、前記端末は、補助ＭＡＣエンティティがリリースされた場合、リリースされた補助ＭＡＣエンティティに搬送された論理チャネルであって、パケット複製モードの設定または活性化が行われていないベアラに対応する論理チャネルが自動的にメインＭＡＣエンティティに移行して搬送される移行モジュールをさらに含む。
【００４６】
選択可能に、前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である。
【００４７】
選択可能に、前記端末は、
ＢＳＲ報告トリガー判断を行う判断モジュールと、
ＢＳＲの報告が必要であると判断された場合、メインＭＡＣエンティティおよび補助ＭＡＣエンティティに対応する論理チャネルまたは論理チャネル群のバッファデータ量をネットワーク側に報告する報告モジュールとをさらに含む。
【００４８】
選択可能に、前記判断モジュールは、前記端末に基づいてＢＳＲ報告トリガー判断を行う。
【００４９】
選択可能に、前記報告モジュールは、さらに、
メインＭＡＣエンティティおよび補助ＭＡＣエンティティのうちのいずれか１つのＭＡＣエンティティに対応する搬送波で、メインＭＡＣエンティティおよび補助ＭＡＣエンティティに対応する論理チャネルまたは論理チャネル群のバッファデータ量をネットワーク側に報告する。
【００５０】
選択可能に、前記報告モジュールは、さらに、
メインＭＡＣエンティティおよび補助ＭＡＣエンティティに対応する論理チャネルまたは論理チャネル群のバッファデータ量を１つのＢＳＲ  ＭＡＣ  ＣＥでネットワーク側に報告する。
【００５１】
前記報告モジュールは、さらに、
メインＭＡＣエンティティおよび補助ＭＡＣエンティティに対応する論理チャネルまたは論理チャネル群のバッファデータ量を１つのＭＡＣ  ＰＤＵのうちの複数の独立なＢＳＲ  ＭＡＣ  ＣＥでネットワーク側に報告する。
【００５２】
選択可能に、前記判断モジュールは、ＭＡＣエンティティに基づいてＢＳＲ報告トリガー判断を行う。
【００５３】
選択可能に、前記報告モジュールは、さらに、
本ＭＡＣエンティティに対応する搬送波またはほかのＭＡＣエンティティに対応する搬送波で、メインＭＡＣエンティティおよび補助ＭＡＣエンティティに対応する論理チャネルまたは論理チャネル群のバッファデータ量をネットワーク側に報告する。
【００５４】
選択可能に、前記報告モジュールは、さらに、
ＢＳＲ  ＭＡＣ  ＣＥ伝送用の搬送波を制限せずかつ異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別する。
【００５５】
選択可能に、前記端末は、ベアラ用のパケット複製モードをサポートする能力指示情報が付帯された端末能力をネットワーク側に送信する端末能力送信モジュールをさらに含む。
【００５６】
本開示は、ネットワーク側機器を提供する。当該ネットワーク側機器は、
ベアラ用のパケット複製モードを設定または活性化する場合、メインＭＡＣエンティティおよび補助ＭＡＣエンティティが、端末から送信された複製後の伝送データを異なる搬送波でそれぞれ受信するようにトリガーする受信モジュールと、
前記メインＭＡＣエンティティおよび補助ＭＡＣエンティティが、前記伝送データを異なる論理チャネルで異なるＲＬＣエンティティに送信するようにトリガーする第１送信モジュールと、
前記ＲＬＣエンティティが、受信した伝送データをＰＤＣＰエンティティに送信するようにトリガーする第２送信モジュールとを含む。
【００５７】
選択可能に、前記論理チャネルのそれぞれは、１つのＲＬＣエンティティに対応し、
前記論理チャネルのそれぞれは、１つのＭＡＣエンティティに対応する。
【００５８】
選択可能に、前記ネットワーク側機器は、ＰＤＣＰエンティティ、または、ＰＤＣＰ層より上のプロトコル層によってベアラの複製を実行するようにトリガーするベアラ複製実行モジュールをさらに含む。
【００５９】
選択可能に、前記ネットワーク側機器は、メインＭＡＣエンティティの確立とともに前記補助ＭＡＣエンティティを確立する第１確立モジュールをさらに含む。
【００６０】
選択可能に、前記ネットワーク側機器は、
ベアラ用のパケット複製モードを設定または活性化する場合、前記パケット複製モードのベアラに対応する補助ＭＡＣエンティティを確立する第２確立モジュール、
または、
サービス対象であるすべての端末のうちの最初の端末のパケット複製モードが設定または活性化された場合、前記パケット複製モードのベアラに対応する補助ＭＡＣエンティティを確立する第３確立モジュールをさらに含む。
【００６１】
選択可能に、前記ネットワーク側機器は、
ベアラ用のパケット複製モードを設定解除または非活性化する場合、前記パケット複製モードのベアラに対応する補助ＭＡＣエンティティをリリースする第１リリースモジュール、
または、
前記ネットワーク側機器のサービス対象であるすべてのベアラのうち、パケット複製モードの最終ベアラ用のパケット複製モードを設定解除または非活性化する場合、前記パケット複製モードのベアラに対応する補助ＭＡＣエンティティをリリースする第２リリースモジュールをさらに含む。
【００６２】
選択可能に、前記ネットワーク側機器は、ベアラ用のパケット複製モードを設定または活性化する場合、前記搬送波とメインＭＡＣエンティティおよび補助ＭＡＣエンティティとのマッピング関係を、半静的または動的に前記端末に対し設定する第１設定モジュールをさらに含む。
【００６３】
選択可能に、前記ネットワーク側機器は、ベアラ用のパケット複製モードを設定または活性化する場合、前記論理チャネルとメインＭＡＣエンティティおよび補助ＭＡＣエンティティとのマッピング関係、または、前記論理チャネルと搬送波とのマッピング関係を、半静的または動的に前記端末に対し設定する第２設定モジュールをさらに含む。
【００６４】
選択可能に、前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である。
【００６５】
選択可能に、前記ネットワーク側機器は、補助ＭＡＣエンティティがリリースされた場合、リリースされた補助ＭＡＣエンティティに搬送された論理チャネルであって、パケット複製モードの設定または活性化が行われていないベアラに対応する論理チャネルが自動的にメインＭＡＣエンティティに移行して搬送される移行モジュールをさらに含む。
【００６６】
選択可能に、前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である。
【００６７】
選択可能に、前記ネットワーク側機器は、端末のメインＭＡＣエンティティおよび補助ＭＡＣエンティティに対応する論理チャネルまたは論理チャネル群のバッファデータ量を端末から受信し、端末のメインＭＡＣエンティティおよび補助ＭＡＣエンティティに対応する論理チャネルまたは論理チャネル群のバッファデータ量に基づいて、アップリンクリソーススケジューリングを行うスケジューリングモジュールをさらに含む。
【００６８】
選択可能に、前記ネットワーク側機器は、ベアラ用のパケット複製モードをサポートする能力指示情報が付帯された端末能力を端末から受信する端末能力受信モジュールをさらに含む。
【００６９】
本開示は、コンピュータプログラムが格納されているコンピュータ読み取り可能な記憶媒体を提供する。当該プログラムがプロセッサによって実行されると、上記のデータ伝送方法のステップが実現される。
【００７０】
本開示は、プロセッサと、メモリとを含む端末を提供する。プロセッサは、メモリからプログラムを読み取ることによって、上記の端末に応用されるデータ伝送方法のステップを実行する。
【００７１】
本開示は、プロセッサと、メモリとを含むネットワーク側機器を提供する。プロセッサは、メモリからプログラムを読み取ることによって、上記のネットワーク側機器に応用されるデータ伝送方法のステップを実行する。
【発明の効果】
【００７２】
パケット複製モードのベアラに対応する論理チャネルの数に基づいて同数のＭＡＣエンティティを導入することによって、パケット複製モードのベアラに対応する論理チャネルのそれぞれが、異なるＭＡＣエンティティでスケジューリングされて伝送されることを保証し、マルチパス伝送ゲインで複製後の伝送品質を保証し、パケット伝送の遅延を短縮させる。
【図面の簡単な説明】
【００７３】
【図１】従来技術におけるパケット複製モードのモデル図である。
【図２】従来技術におけるＭＡＣサブヘッダのフォーマット図である。
【図３】従来技術におけるｓｈｏｒｔ  ＢＳＲ  ＭＡＣ  ＣＥとｔｒｕｎｃａｔｅｄ  ＢＳＲ  ＭＡＣ  ＣＥのフォーマット図である。
【図４】従来技術におけるｌｏｎｇ  ＢＳＲ  ＭＡＣ  ＣＥのフォーマット図である。
【図５】本開示の一部実施例における端末側に応用されるデータ伝送方法のフローチャートである。
【図６】本開示の一部実施例におけるネットワーク側に応用されるデータ伝送方法のフローチャートである。
【図７】本開示の一部実施例における端末の構造ブロック図である。
【図８】本開示の一部実施例におけるネットワーク側機器の構造ブロック図である。
【発明を実施するための形態】
【００７４】
本開示の実施例の目的、技術手段及び利点をより明確にするために、以下、本開示の実施例の図面を参照しながら、本開示の実施例の技術手段を明確且つ完全的に記載する。明らかに、記載される実施例は、本開示の実施例の一部であり、全てではない。記載される本開示の実施例に基づき、当業者が為しえる全ての実施例は、すべて本開示の保護範囲に属するものである。
【００７５】
図５を参照する。図５は、本開示の一部実施例における端末側に応用されるデータ伝送方法のフローチャートであり、
ベアラ用のパケット複製モードがネットワーク側によって設定または活性化された場合、前記端末が、複製後の伝送データを異なるＲＬＣ（Ｒａｄｉｏ  Ｌｉｎｋ  Ｃｏｎｔｒｏｌ）エンティティにそれぞれ送信するステップＳ１１と、
前記異なるＲＬＣエンティティのうちの１つのＲＬＣエンティティが、前記伝送データを１つの論理チャネルでメインＭＡＣ（Ｍｅｄｉａ  Ａｃｃｅｓｓ  Ｃｏｎｔｒｏｌ）エンティティに送信し、残りの各ＲＬＣエンティティが、前記伝送データを異なる論理チャネルで異なる補助ＭＡＣエンティティにそれぞれ送信するステップＳ１２と、
前記メインＭＡＣエンティティと前記補助ＭＡＣエンティティが、前記伝送データを異なる搬送波でネットワーク側にそれぞれ送信するステップＳ１３とを含む。
【００７６】
本開示の一部実施例において、パケット複製モードのベアラに対応する論理チャネルの数に基づいて同数のＭＡＣエンティティを導入することによって、パケット複製モードのベアラに対応する論理チャネルのそれぞれが、異なるＭＡＣエンティティでスケジューリングされて伝送されることを保証し、マルチパス伝送ゲインで複製後の伝送品質を保証し、パケット伝送の遅延を短縮させる。
【００７７】
本開示の一部実施例において、パケット複製モードは、設定されていれば発効するか、まず設定されて、活性化されてから発効する。
【００７８】
本開示の一部実施例において、伝送データの複製は、ＰＤＣＰエンティティによって実行されてもよく、ＰＤＣＰ層より上のプロトコル層によって実行されてもよい。
【００７９】
本開示の一部実施例において、パケット複製モードのベアラは、少なくとも２つの論理チャネルに対応するし、ここで、前記論理チャネルのそれぞれは、１つのＲＬＣエンティティに対応し、前記論理チャネルのそれぞれは、１つのＭＡＣエンティティに対応する。
【００８０】
本開示の一部実施例において、端末によって初めて確立されたＭＡＣエンティティをメインＭＡＣエンティティと称し、ほかのＭＡＣエンティティを補助ＭＡＣエンティティと称する。
【００８１】
本開示の一部実施例において、補助ＭＡＣエンティティの確立条件は、以下のいずれであるが、それらに限られない。
１）メインＭＡＣエンティティとともに確立される。
本開示の一部実施例において、パケット複製モードのベアラをサポートする端末の場合、補助ＭＡＣエンティティは、メインＭＡＣエンティティとともに確立／リリースされる。端末は、パケット複製モードのベアラが設定または活性化されたか否かにかかわらず、常にメインＭＡＣエンティティと補助ＭＡＣエンティティを同時に保守する。
２）ベアラ用のパケット複製モードがネットワーク側によって設定または活性化された場合、前記端末は、前記パケット複製モードのベアラに対応する補助ＭＡＣエンティティを確立する。
補助ＭＡＣエンティティは、上記２）の確立条件で確立される場合、そのリリース条件として、ベアラ用のパケット複製モードがネットワーク側によって設定解除または非活性化されると、前記端末が、前記パケット複製モードのベアラに対応する補助ＭＡＣエンティティをリリースするが、それに限られない。
【００８２】
本開示の一部実施例において、パケット複製モードのベアラをサポートする端末の場合、メインＭＡＣエンティティは、常に端末によって保守されるが、補助ＭＡＣエンティティは、ベアラ用のパケット複製モードが設定または活性化されたか否かに応じて確立／リリースされる。
【００８３】
本開示の一部実施例において、端末とネットワーク側は、補助ＭＡＣエンティティの確立／リリース方式に対し一致を保持する必要がある。両者の一致性は、プロトコルによる取り決めまたはシグナリング通知方式で保持される。
【００８４】
本開示の一部実施例において、搬送波とメインＭＡＣエンティティおよび補助ＭＡＣエンティティとのマッピング関係は、ネットワーク側から半静的に前記端末に対し設定し、またはネットワーク側から動的に前記端末に対し設定する。
【００８５】
選択可能に、ネットワーク側は、搬送波とメインＭＡＣエンティティおよび補助ＭＡＣエンティティとのマッピング関係を半静的に端末に対し設定する場合、ＲＲＣ（無線リソース制御）シグナリングによって半静的に端末に対し設定する。
【００８６】
選択可能に、ネットワーク側は、搬送波とメインＭＡＣエンティティおよび補助ＭＡＣエンティティとのマッピング関係を動的に端末に対し設定する場合、Ｌ１／Ｌ２シグナリングによって動的に端末に対し設定する。
【００８７】
すなわち、本開示の一部実施例において、端末が、複製後の伝送データを異なるＲＬＣエンティティにそれぞれ送信するステップの前に、ネットワーク側から半静的または動的に設定された前記搬送波とメインＭＡＣエンティティおよび補助ＭＡＣエンティティとのマッピング関係を受信するステップをさらに含む。
【００８８】
本開示の一部実施例において、前記論理チャネルとメインＭＡＣエンティティおよび補助ＭＡＣエンティティとのマッピング関係、または、前記論理チャネルと搬送波とのマッピング関係は、ネットワーク側から半静的前記端末に対し設定され、またはネットワーク側から動的に前記端末に対し設定される。
【００８９】
選択可能に、ネットワーク側は、論理チャネルとメインＭＡＣエンティティおよび補助ＭＡＣエンティティとのマッピング関係、または、前記論理チャネルと搬送波とのマッピング関係を、半静的に端末に対し設定する場合、ＲＲＣシグナリングによって半静的に端末に対し設定する。
【００９０】
選択可能に、ネットワーク側は、論理チャネルとメインＭＡＣエンティティおよび補助ＭＡＣエンティティとのマッピング関係、または、前記論理チャネルと搬送波とのマッピング関係を、動的に端末に対し設定する場合、Ｌ１／Ｌ２シグナリングによって動的に端末に対し設定する。
【００９１】
すなわち、本開示の一部実施例において、
端末が、複製後の伝送データを異なるＲＬＣエンティティにそれぞれ送信するステップの前に、ネットワーク側から半静的または動的に設定された前記論理チャネルとメインＭＡＣエンティティおよび補助ＭＡＣエンティティとのマッピング関係、または、前記論理チャネルと搬送波とのマッピング関係を受信するステップをさらに含む。
【００９２】
本開示の一部実施例において、メインＭＡＣエンティティおよび補助ＭＡＣエンティティの使用ルールは、以下のいずれであるが、それらに限られない。
１）前記メインＭＡＣエンティティおよび補助ＭＡＣエンティティのいずれも、パケット複製モードの設定または活性化が行われていないベアラに対応する論理チャネル、およびパケット複製モードの設定または活性化が行われたベアラに対応する論理チャネルを搬送可能である。
この場合、選択可能に、補助ＭＡＣエンティティがリリースされた場合、リリースされた補助ＭＡＣエンティティに搬送された論理チャネルであって、パケット複製モードの設定または活性化が行われていないベアラに対応する論理チャネルは、別途のシグナリング設定を必要とせずに、自動的にメインＭＡＣエンティティに移行して搬送される。
２）前記メインＭＡＣエンティティは、パケット複製モードの設定または活性化が行われていないベアラに対応する論理チャネル、およびパケット複製モードの設定または活性化が行われたベアラに対応する論理チャネルを搬送可能であるが、前記補助ＭＡＣエンティティは、パケット複製モードの設定または活性化が行われたベアラに対応する論理チャネルのみを搬送可能である。
【００９３】
本開示の一部実施例において、端末は、伝送データをネットワーク側機器に送信する前に、ＢＳＲ（Ｂｕｆｆｅｒ  Ｓｔａｔｅ  Ｒｅｐｏｒｔｉｎｇ）報告を行う。以下、本開示の実施例における端末によるＢＳＲ報告を詳細に説明する。
【００９４】
まず、ＬＴＥ（Ｌｏｎｇ  Ｔｅｒｍ  Ｅｖｏｌｕｔｉｏｎ）システムにおけるＢＳＲメカニズムを簡単に紹介する。
【００９５】
ＬＴＥシステムは、スケジューリングに基づいたシステムであり、データ伝送に必要な時間周波数リソースを基地局から端末に割り当てられ、端末が基地局のスケジューリングコマンドに基づいてダウンリンクデータ受信またはアップリンクデータ送信を行う。アップリンクデータ伝送は、基地局によってスケジューリングされる。基地局のスケジューラは、アップリンクリソースの割当状況を特定してから、ＵＬ  ｇｒａｎｔ（アップリンクスケジューリンググラント）によって端末に通知する。基地局のスケジューラは、端末から送信されるアップリンクデータ量、すなわち端末のバッファ状態を基に、アップリンクリソース割当を行う。当該バッファが端末側にあるが、基地局が当該情報を取得するには、端末から基地局に対しＢＳＲ（Ｂｕｆｆｅｒ  ｓｔａｔｅ  ｒｅｐｏｒｔ）を行う必要がある。ＬＴＥ  Ｒｅｌ−１１およびその前のバージョンにおけるＢＳＲメカニズムは、以下である。
【００９６】
１．ＢＳＲ報告の粒子度
ＬＴＥシステムのＢＳＲ報告は、ＬＣＧ（ｌｏｇｉｃａｌ  ｃｈａｎｎｅｌ  ｇｒｏｕｐ）に基づいて行われ、計４個のＬＣＧが定義されている。ベアラ／論理チャネルに対応するＬＣＧ  ＩＤは、ベアラの確立時に設定される。
【００９７】
２．ＢＳＲ関連のＲＲＣ層パラメータの設定
ＬＴＥシステムにおいて、ＢＳＲに対し設定するＲＲＣ層のパラメータは、以下２つのタイマーを含む。当該２つのタイマーは、端末に基づいて設定されて保守される。
１）ｒｅｔｘＢＳＲ−Ｔｉｍｅｒ（再送タイマー）：ＢＳＲ報告を禁止するタイマーである
２）ｐｅｒｉｏｄｉｃＢＳＲ−Ｔｉｍｅｒ（周期性タイマー）：周期的にＢＳＲ報告を行うタイマーである。
【００９８】
３．ＢＳＲの分類およびトリガーメカニズム
１）レギュラーＢＳＲ（Ｒｅｇｕｌａｒ  ＢＳＲ）：（１）現在のｂｕｆｆｅｒ（バッファ）中のデータより優先度の高いデータが到達し、または元々ヌルであったｂｕｆｆｅｒ中にデータが到達すると、トリガーされる。（２）ｒｅｔｘＢＳＲ−Ｔｉｍｅｒがタイムオーバーになりかつバッファ中にデータがある場合にトリガーされる。
２）周期性ＢＳＲ（Ｐｅｒｉｏｄｉｃ  ＢＳＲ）：ｐｅｒｉｏｄｉｃＢＳＲ−ＴｉｍｅｒがタイムオーバーになるとＰｅｒｉｏｄｉｃ  ＢＳＲがトリガーされる。
３）パディングＢＳＲ（Ｐａｄｄｉｎｇ  ＢＳＲ）：端末によるＭＡＣ  ＰＤＵの組織時に、伝送される必要のあるデータ以外に利用可能なリソースがあれば（Ｐａｄｄｉｎｇ）、Ｐａｄｄｉｎｇ  ＢＳＲがトリガーされる。
【００９９】
４．ＢＳＲ報告原則
Ｒｅｇｕｌａｒ  ＢＳＲとＰｅｒｉｏｄｉｃ  ＢＳＲの場合、端末は、余剰の１つのＬＣＧに利用可能なデータを有するのであれば、ｌｏｎｇ  ＢＳＲを報告するが、逆の場合、ｓｈｏｒｔ  ＢＳＲを報告する。
Ｐａｄｄｉｎｇ  ＢＳＲの場合、Ｐａｄｄｉｎｇ  ｂｉｔ数が（ｓｈｏｒｔ  ＢＳＲ＋ＭＡＣ  ｓｕｂｈｅａｄｅｒ）以上であるが（ｌｏｎｇ  ＢＳＲ＋ＭＡＣ  ｓｕｂｈｅａｄｅｒ）より小さくなると、端末は、余剰の１つのＬＣＧに利用可能なデータを有するのであれば、ｔｒｕｎｃａｔｅｄ  ＢＳＲを報告するが、逆の場合、ｓｈｏｒｔ  ＢＳＲを報告する。Ｐａｄｄｉｎｇ  ｂｉｔが（ｌｏｎｇ  ＢＳＲ＋ＭＡＣ  ｓｕｂｈｅａｄｅｒ）以上であれば、ｌｏｎｇ  ＢＳＲを報告する。
ＢＳＲをトリガーした後に、Ｐｅｒｉｏｄｉｃ  ＢＳＲとＰａｄｄｉｎｇ  ＢＳＲは、利用可能なアップリングリソースがある場合にのみ報告される。Ｒｅｇｕｌａｒ  ＢＳＲは、利用可能なアップリングリソースがない場合、ＳＲ（Ｓｃｈｅｄｕｌｉｎｇ  Ｒｅｑｕｅｓｔ）プロセスをトリガーし、端末に対しアップリンクリソースを割り当てるように基地局に要求する。
基地局は、アップリンクリソースを端末に割り当てた後に、当該リソースがすべてのアップリンクデータの送信にちょうど足りる場合、ＢＳＲを送信せずに、直接アップリンクデータを送信する。当該リソースがすべてのアップリンクデータの送信に足りない場合、Ｒｅｇｕｌａｒ  ＢＳＲまたはＰｅｒｉｏｄｉｃ  ＢＳＲを優先的に報告する。基地局は、ＢＳＲ報告を行う端末に必要されるアップリンクデータ量に基づいて、後の伝送スケジューリングを行う。
１つのＭＡＣ  ＰＤＵに最多で１つのＢＳＲを含む。ＢＳＲの優先度は、Ｒｅｇｕｌａｒ  ＢＳＲ＝Ｐｅｒｉｏｄｉｃ  ＢＳＲ＞Ｐａｄｄｉｎｇ  ＢＳＲである。複数のＢＳＲが同時にトリガーされる場合、優先度の最も高いほうのみを報告する。Ｒｅｇｕｌａｒ  ＢＳＲとＰｅｒｉｏｄｉｃ  ＢＳＲについて、報告内容が同じであり、ＵＥ  ｂｕｆｆｅｒ中のすべての利用可能なデータ量情報を含み、報告フォーマットが完全に同じであるため、いずれか１つを選択して報告すればよい。ＭＡＣ層は、ＭＡＣ  ＰＤＵの組織時に、当該２種類のＭＡＣ  ＣＥ（Ｃｏｎｔｒｏｌ  Ｅｌｅｍｅｎｔ）を優先的に設定してから、ＭＡＣ  ＳＤＵ（Ｓｅｒｖｉｃｅ  Ｄａｔａ  Ｕｎｉｔ）を設定する。
Ｐａｄｄｉｎｇ  ＢＳＲの優先度は、データより低い。同一のサブフレームで、異なるＭＡＣ  ＰＤＵでＰａｄｄｉｎｇ  ＢＳＲとｒｅｇｕｌａｒ／ｐｅｒｉｏｄｉｃ  ＢＳＲを報告することができる。
【０１００】
５．ＢＳＲ報告後の処理
ＢＳＲがトリガーされてかつ報告可能であれば、ｐｅｒｉｏｄｉｃＢＳＲ−ＴｉｍｅｒとｒｅｔｘＢＳＲ−Ｔｉｍｅｒを起動または再起動する。なお、ｔｒｕｎｃａｔｅｄ  ＢＳＲの場合、ｐｅｒｉｏｄｉｃＢＳＲ−Ｔｉｍｅｒの起動／再起動ができず、ｒｅｔｘＢＳＲ−Ｔｉｍｅｒのみの起動／再起動ができる。
【０１０１】
６．ＢＳＲ報告フォーマット
ＢＳＲは、ＭＡＣ  ＣＥ（Ｃｏｎｔｒｏｌ  Ｅｌｅｍｅｎｔ）の形式で報告され、報告される際に、ＭＡＣサブヘッダとＭＡＣ  ＣＥの両部分に分けられる。ＢＳＲ  ＭＡＣ  ＣＥは、ｌｏｎｇ  ＢＳＲとｓｈｏｒｔ  ＢＳＲの２種類のフォーマットを含み、ｔｒｕｎｃａｔｅｄ  ＢＳＲとｓｈｏｒｔ  ＢＳＲとは、フォーマットが同じである。
【０１０２】
ＬＴＥシステムにおけるＭＡＣサブヘッダとＢＳＲ  ＭＡＣ  ＣＥのフォーマットは、図２〜図４に示されている。
各フィールドの意味は、以下である。
ＬＣＩＤ（Ｌｏｇｉｃａｌ  Ｃｈａｎｎｅｌ  ＩＤ）：対応する負荷部分を識別するための論理チャネル番号であり、ｌｏｎｇ  ＢＳＲ、ｓｈｏｒｔ  ＢＳＲ、ｔｒｕｎｃａｔｅｄ  ＢＳＲにはそれぞれ１つのＬＣＩＤを有する。
Ｅ：次のｂｙｔｅがＭＡＣサブヘッダであるかＭＡＣ負荷であるかを指示するための拡張ビットである。
Ｒ：リザーブドビットである。
ＬＣＧ  ＩＤ：論理チャネル群番号である。ＬＴＥシステムにおいて、ＢＳＲ報告時に、４つの論理チャネル群が分けられる。
Ｂｕｆｆｅｒ  Ｓｉｚｅ：対応する論理チャネル群のデータバッファ量である。
【０１０３】
ＢＳＲ報告について、Ｒ１０／１１とＲ８／９との相違点は、Ｒ１０／１１の場合キャリアアグリゲーションをサポートし、ピークレートが向上するため、新規のＢＳ  ｔａｂｌｅが導入されていることにある。Ｒ１０／１１をサポートするＵＥがＢＳＲの報告時に新規のＢＳ  ｔａｂｌｅを使用するか否かは、基地局からＲＲＣシグナリングによって設定される。Ｒ８／９のＢＳ  ｔａｂｌｅでもＲ１０／１１のＢＳ  ｔａｂｌｅでも６４レベルの量子化であり、すなわち６ｂｉｔで対応する量子化値を示すことができる。よって、上記のＢＳＲ  ＭＡＣ  ＣＥフォーマットで各ＬＣＧのｂｕｆｆｅｒ  ｓｉｚｅの値は、すべて６ｂｉｔである。
【０１０４】
本開示の一部実施例のデータ伝送方法において、さらに以下のステップを含む。
１）ＢＳＲ報告トリガー判断を行う。
２）ＢＳＲの報告が必要であると判断された場合、メインＭＡＣエンティティおよび補助ＭＡＣエンティティに対応する論理チャネルまたは論理チャネル群のバッファデータ量をネットワーク側に報告する。
【０１０５】
本開示の一部実施例において、以下２種類の方式でＢＳＲ報告トリガー判断を行うことができるが、それらに限られない。
【０１０６】
１つのトリガー判断方式として、端末に基づいてＢＳＲ報告トリガー判断を行う。
【０１０７】
端末に基づいてＢＳＲ報告トリガー判断を行うトリガーメカニズムは、以上紹介したＬＴＥシステムのトリガーメカニズムと同じであってもよい。
すなわち、レギュラーＢＳＲについてのトリガーメカニズムとして、（１）現在のｂｕｆｆｅｒ（バッファ）中のデータより優先度の高いデータが到達し、または元々ヌルであったｂｕｆｆｅｒ中にデータが到達すると、トリガーされる。（２）ｒｅｔｘＢＳＲ−Ｔｉｍｅｒがタイムオーバーになりかつバッファ中にデータがある場合にトリガーされる。
周期性ＢＳＲについてのトリガーメカニズムとして、ｐｅｒｉｏｄｉｃＢＳＲ−ＴｉｍｅｒがタイムオーバーになるとＰｅｒｉｏｄｉｃ  ＢＳＲがトリガーされる。
パディングＢＳＲについてのトリガーメカニズムとして、端末によるＭＡＣ  ＰＤＵの組織時に、伝送される必要のあるデータ以外に利用可能なリソースがあれば（Ｐａｄｄｉｎｇ）、Ｐａｄｄｉｎｇ  ＢＳＲがトリガーされる。
【０１０８】
本開示の一部実施例において、ＢＳＲ報告の際に、ＢＳＲ  ＭＡＣ  ＣＥは、以下の２種類の組織形式を用いることができる。
１）メインＭＡＣエンティティおよび補助ＭＡＣエンティティに対応する論理チャネルまたは論理チャネル群のバッファデータ量を１つのＢＳＲ  ＭＡＣ  ＣＥでネットワーク側に報告し、かつ、報告の際に、メインＭＡＣエンティティおよび補助ＭＡＣエンティティのうちのいずれか１つのＭＡＣエンティティに対応する搬送波を使用する。
異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別する。
２）メインＭＡＣエンティティおよび補助ＭＡＣエンティティに対応する論理チャネルまたは論理チャネル群のバッファデータ量を１つのＭＡＣ  ＰＤＵのうちの複数の独立なＢＳＲ  ＭＡＣ  ＣＥでネットワーク側に報告し、かつ、報告の際に、メインＭＡＣエンティティおよび補助ＭＡＣエンティティのうちのいずれか１つのＭＡＣエンティティに対応する搬送波を使用する。
異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別する。
【０１０９】
もう１つのトリガー判断方式として、ＭＡＣエンティティに基づいてＢＳＲ報告トリガー判断を行う。
【０１１０】
ＭＡＣエンティティに基づいてＢＳＲ報告トリガー判断を行うトリガーメカニズムは、以上紹介したＬＴＥシステムのトリガーメカニズムと同じであってもよいが、ここで繰り返して説明しない。
【０１１１】
本開示の一部実施例において、ＢＳＲ報告の際に、ＢＳＲ  ＭＡＣ  ＣＥは、以下の組織形式を用いることができる。
本ＭＡＣエンティティに対応する搬送波またはほかのＭＡＣエンティティに対応する搬送波で、メインＭＡＣエンティティおよび補助ＭＡＣエンティティに対応する論理チャネルまたは論理チャネル群のバッファデータ量をネットワーク側に報告する。
【０１１２】
ＢＳＲ  ＭＡＣ  ＣＥ伝送用の搬送波を制限せずかつ異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別する。
【０１１３】
本開示の一部実施例において、ベアラ用のパケット複製モードが端末にサポートされるか否かを、ネットワーク側が分かるように、選択可能に、前記端末が、複製後の伝送データを異なるＲＬＣエンティティにそれぞれ送信するステップの前に、
ベアラ用のパケット複製モードをサポートする能力指示情報が付帯された端末能力をネットワーク側に送信するステップをさらに含む。
【０１１４】
すなわち、ベアラ用のパケット複製モードをサポートする端末のみは、上記データ伝送方法でデータ伝送を行うことができる。
【０１１５】
本開示の一部実施例におけるデータ伝送方法は、ＣＡ（Ｃａｒｒｉｅｒ  Ａｇｇｒｅｇａｔｉｏｎ）シーンにおけるパケット複製モードのデータ伝送に適用する。
【０１１６】
図６を参照する。図６は、本開示の一部実施例におけるネットワーク側に応用されるデータ伝送方法のフローチャートであり、
ベアラ用のパケット複製モードを設定または活性化する場合、前記ネットワーク側機器のメインＭＡＣエンティティおよび補助ＭＡＣエンティティが、端末から送信された複製後の伝送データを異なる搬送波でそれぞれ受信するステップＳ２１と、
前記メインＭＡＣエンティティおよび補助ＭＡＣエンティティが、前記伝送データを異なる論理チャネルで異なるＲＬＣエンティティに送信するステップＳ２２と、
前記ＲＬＣエンティティが、受信した伝送データをＰＤＣＰ（Ｐａｃｋｅｔ  Ｄａｔａ  Ｃｏｎｖｅｒｇｅｎｃｅ  Ｐｒｏｔｏｃｏｌ）エンティティに送信するステップＳ２３と、を含む。
【０１１７】
本開示の一部実施例において、パケット複製モードのベアラに対応する論理チャネルの数に基づいて同数のＭＡＣエンティティを導入することによって、パケット複製モードのベアラに対応する論理チャネルのそれぞれが、異なるＭＡＣエンティティでスケジューリングされて伝送されることを保証し、マルチパス伝送ゲインで複製後の伝送品質を保証し、パケット伝送の遅延を短縮させる。
【０１１８】
本開示の一部実施例において、パケット複製モードのベアラは、少なくとも２つの論理チャネルに対応し、ここで、前記論理チャネルのそれぞれは、１つのＲＬＣエンティティに対応し、前記論理チャネルのそれぞれは、１つのＭＡＣエンティティに対応する。
【０１１９】
本開示の一部実施例において、伝送データの複製は、ＰＤＣＰエンティティによって実行されてもよく、ＰＤＣＰ層より上のプロトコル層によって実行されてもよい。
【０１２０】
本開示の一部実施例において、基地局によって初めて確立されたＭＡＣエンティティをメインＭＡＣエンティティと称し、ほかのＭＡＣエンティティを補助ＭＡＣエンティティと称する。
【０１２１】
本開示の一部実施例において、補助ＭＡＣエンティティの確立条件は、以下のいずれであるが、それらに限られない。
１）メインＭＡＣエンティティとともに確立される。
２）ベアラ用のパケット複製モードがネットワーク側によって設定または活性化された場合、前記パケット複製モードのベアラに対応する補助ＭＡＣエンティティを確立する。
補助ＭＡＣエンティティは、上記２）の確立条件で確立される場合、そのリリース条件として、ベアラ用のパケット複製モードがネットワーク側によって設定解除または非活性化されると、前記パケット複製モードのベアラに対応する補助ＭＡＣエンティティをリリースするが、それに限られない。
３）前記ネットワーク側機器によって、そのサービス対象であるすべての端末のうちの最初の端末のパケット複製モードが設定または活性化された場合、前記パケット複製モードのベアラに対応する補助ＭＡＣエンティティを確立する。
補助ＭＡＣエンティティは、上記３）の確立条件で確立される場合、そのリリース条件として、前記ネットワーク側機器のサービス対象であるすべてのベアラのうち、パケット複製モードの最終ベアラ用のパケット複製モードを設定解除または非活性化する場合、前記パケット複製モードのベアラに対応する補助ＭＡＣエンティティをリリースするが、それに限られない。
【０１２２】
本開示の一部実施例において、端末とネットワーク側は、補助ＭＡＣエンティティの確立／リリース方式に対し一致を保持する必要がある。両者の一致性は、プロトコルによる取り決めまたはシグナリング通知方式で保持される。
【０１２３】
本開示の一部実施例のデータ伝送方法において、ベアラ用のパケット複製モードを設定または活性化する場合、前記搬送波とメインＭＡＣエンティティおよび補助ＭＡＣエンティティとのマッピング関係を、半静的に前記端末に対し設定し、または動的に前記端末に対し設定する。
【０１２４】
選択可能に、ネットワーク側は、搬送波とメインＭＡＣエンティティおよび補助ＭＡＣエンティティとのマッピング関係を半静的に端末に対し設定する場合、ＲＲＣシグナリングによって半静的に端末に対し設定する。
【０１２５】
選択可能に、ネットワーク側は、搬送波とメインＭＡＣエンティティおよび補助ＭＡＣエンティティとのマッピング関係を動的に端末に対し設定する場合、Ｌ１／Ｌ２シグナリングによって動的に端末に対し設定する。
【０１２６】
本開示の一部実施例のデータ伝送方法において、ベアラ用のパケット複製モードを設定または活性化する場合、前記論理チャネルとメインＭＡＣエンティティおよび補助ＭＡＣエンティティとのマッピング関係、または、前記論理チャネルと搬送波とのマッピング関係を、半静的前記端末に対し設定し、または動的に前記端末に対し設定する。
【０１２７】
選択可能に、ネットワーク側は、論理チャネルとメインＭＡＣエンティティおよび補助ＭＡＣエンティティとのマッピング関係、または、前記論理チャネルと搬送波とのマッピング関係を、半静的に端末に対し設定する場合、ＲＲＣシグナリングによって半静的に端末に対し設定する。
【０１２８】
選択可能に、ネットワーク側は、論理チャネルとメインＭＡＣエンティティおよび補助ＭＡＣエンティティとのマッピング関係、または、前記論理チャネルと搬送波とのマッピング関係を、動的に端末に対し設定する場合、Ｌ１／Ｌ２シグナリングによって動的に端末に対し設定する。
【０１２９】
本開示の一部実施例において、メインＭＡＣエンティティおよび補助ＭＡＣエンティティの使用ルールは、以下のいずれであるが、それらに限られない。
１）前記メインＭＡＣエンティティおよび補助ＭＡＣエンティティのいずれも、パケット複製モードの設定または活性化が行われていないベアラに対応する論理チャネル、およびパケット複製モードの設定または活性化が行われたベアラに対応する論理チャネルを搬送可能である。
この場合、選択可能に、補助ＭＡＣエンティティがリリースされた場合、リリースされた補助ＭＡＣエンティティに搬送された論理チャネルであって、パケット複製モードの設定または活性化が行われていないベアラに対応する論理チャネルは、別途のシグナリング設定を必要とせずに、自動的にメインＭＡＣエンティティに移行して搬送される。
２）前記メインＭＡＣエンティティは、パケット複製モードの設定または活性化が行われていないベアラに対応する論理チャネル、およびパケット複製モードの設定または活性化が行われたベアラに対応する論理チャネルを搬送可能であるが、前記補助ＭＡＣエンティティは、パケット複製モードの設定または活性化が行われたベアラに対応する論理チャネルのみを搬送可能である。
【０１３０】
本開示の一部実施例において、端末は、伝送データをネットワーク側機器に送信する前に、ＢＳＲ報告を行う。すなわち、本開示の一部実施例のデータ伝送方法において、端末のメインＭＡＣエンティティおよび補助ＭＡＣエンティティに対応する論理チャネルまたは論理チャネル群のバッファデータ量を端末から受信し、端末のメインＭＡＣエンティティおよび補助ＭＡＣエンティティに対応する論理チャネルまたは論理チャネル群のバッファデータ量に基づいて、アップリンクリソーススケジューリングを行うステップをさらに含む。
【０１３１】
本開示の一部実施例において、前記ネットワーク側がベアラ用のパケット複製モードを設定または活性化するステップの前に、ベアラ用のパケット複製モードをサポートする能力指示情報が付帯された端末能力を端末から受信するステップをさらに含む。
【０１３２】
すなわち、ネットワーク側は、ベアラ用のパケット複製モードをサポートする能力指示情報を端末から受信してから、端末との間のベアラ用のパケット複製モードを設定または活性化する。
【０１３３】
同一の発明思想に基づき、本開示は、端末を提供する。
【０１３４】
図７を参照する。図７は、本開示の一部実施例における端末の構造ブロック図である。
当該端末は、
ベアラ用のパケット複製モードがネットワーク側によって設定または活性化された場合、複製後の伝送データを異なるＲＬＣエンティティにそれぞれ送信する第１送信モジュールと、
前記異なるＲＬＣエンティティのうちの１つのＲＬＣエンティティが、前記伝送データを１つの論理チャネルでメインＭＡＣエンティティに送信し、残りの各ＲＬＣエンティティが、前記伝送データを異なる論理チャネルで異なる補助ＭＡＣエンティティにそれぞれ送信するようにトリガーする第２送信モジュールと、
前記メインＭＡＣエンティティと前記補助ＭＡＣエンティティが、前記伝送データを異なる搬送波でネットワーク側にそれぞれ送信するようにトリガーする第３送信モジュールと、を含む。
【０１３５】
本開示の一部実施例において、パケット複製モードのベアラに対応する論理チャネルの数に基づいて同数のＭＡＣエンティティを導入することによって、パケット複製モードのベアラに対応する論理チャネルのそれぞれが、異なるＭＡＣエンティティでスケジューリングされて伝送されることを保証し、マルチパス伝送ゲインで複製後の伝送品質を保証し、パケット伝送の遅延を短縮させる。
【０１３６】
本開示の一部実施例において、パケット複製モードのベアラに対応するベアラは、少なくとも２つの論理チャネルに対応し、ここで、前記論理チャネルのそれぞれは、１つのＲＬＣエンティティに対応し、前記論理チャネルのそれぞれは、１つのＭＡＣエンティティに対応する。
【０１３７】
本開示の一部実施例において、端末によって初めて確立されたＭＡＣエンティティをメインＭＡＣエンティティと称し、ほかのＭＡＣエンティティを補助ＭＡＣエンティティと称する。
【０１３８】
本開示の一部実施例において、補助ＭＡＣエンティティは、前記端末の第１確立モジュール、第２確立モジュールのうちの１つによって確立される。
第１確立モジュールは、メインＭＡＣエンティティの確立ととも前記補助ＭＡＣエンティティを確立する。
第２確立モジュールは、ベアラ用のパケット複製モードがネットワーク側によって設定または活性化された場合、前記パケット複製モードのベアラに対応する補助ＭＡＣエンティティを確立する。
【０１３９】
補助ＭＡＣエンティティが第２確立モジュールによって確立される場合、前記端末は、ベアラ用のパケット複製モードがネットワーク側によって設定解除または非活性化された場合、前記パケット複製モードのベアラに対応する補助ＭＡＣエンティティをリリースするリリースモジュールをさらに含む。
【０１４０】
前記搬送波とメインＭＡＣエンティティおよび補助ＭＡＣエンティティとのマッピング関係を取得するために、
前記端末は、ネットワーク側から半静的または動的に設定された前記搬送波とメインＭＡＣエンティティおよび補助ＭＡＣエンティティとのマッピング関係を受信する第１受信モジュールをさらに含む。
【０１４１】
前記論理チャネルとメインＭＡＣエンティティおよび補助ＭＡＣエンティティとのマッピング関係、または、前記論理チャネルと搬送波とのマッピング関係を取得するために、
前記端末は、ネットワーク側から半静的または動的に設定された前記論理チャネルとメインＭＡＣエンティティおよび補助ＭＡＣエンティティとのマッピング関係、または、前記論理チャネルと搬送波とのマッピング関係を受信する第２受信モジュールをさらに含む。
【０１４２】
本開示の一部実施例において、メインＭＡＣエンティティおよび補助ＭＡＣエンティティの使用ルールは、以下のいずれであるが、それらに限られない。
１）前記メインＭＡＣエンティティおよび補助ＭＡＣエンティティのいずれも、パケット複製モードの設定または活性化が行われていないベアラに対応する論理チャネル、およびパケット複製モードの設定または活性化が行われたベアラに対応する論理チャネルを搬送可能である。
この場合、選択可能に、前記端末は、補助ＭＡＣエンティティがリリースされた場合、リリースされた補助ＭＡＣエンティティに搬送された論理チャネルであって、パケット複製モードの設定または活性化が行われていないベアラに対応する論理チャネルが自動的にメインＭＡＣエンティティに移行して搬送される移行モジュールをさらに含む。
２）前記メインＭＡＣエンティティは、パケット複製モードの設定または活性化が行われていないベアラに対応する論理チャネル、およびパケット複製モードの設定または活性化が行われたベアラに対応する論理チャネルを搬送可能であるが、前記補助ＭＡＣエンティティは、パケット複製モードの設定または活性化が行われたベアラに対応する論理チャネルのみを搬送可能である。
【０１４３】
本開示の一部実施例において、端末は、伝送データをネットワーク側機器に送信するために、ＢＳＲ報告を行う。この場合、前記端末は、
ＢＳＲ報告トリガー判断を行う判断モジュールと、
ＢＳＲの報告が必要であると判断された場合、メインＭＡＣエンティティおよび補助ＭＡＣエンティティに対応する論理チャネルまたは論理チャネル群のバッファデータ量をネットワーク側に報告する報告モジュールと、をさらに含む。
【０１４４】
本開示の一部実施例において、前記判断モジュールは、前記端末に基づいてＢＳＲ報告トリガー判断を行う。
【０１４５】
この場合、前記報告モジュールは、さらに、メインＭＡＣエンティティおよび補助ＭＡＣエンティティのうちのいずれか１つのＭＡＣエンティティに対応する搬送波で、メインＭＡＣエンティティおよび補助ＭＡＣエンティティに対応する論理チャネルまたは論理チャネル群のバッファデータ量をネットワーク側に報告する。
【０１４６】
さらに、前記報告モジュールは、メインＭＡＣエンティティおよび補助ＭＡＣエンティティに対応する論理チャネルまたは論理チャネル群のバッファデータ量を１つのＢＳＲ  ＭＡＣ  ＣＥでネットワーク側に報告する。
【０１４７】
または、前記報告モジュールは、メインＭＡＣエンティティおよび補助ＭＡＣエンティティに対応する論理チャネルまたは論理チャネル群のバッファデータ量を１つのＭＡＣ  ＰＤＵのうちの複数の独立なＢＳＲ  ＭＡＣ  ＣＥでネットワーク側に報告する。
【０１４８】
本開示の一部実施例において、前記判断モジュールは、ＭＡＣエンティティに基づいてＢＳＲ報告トリガー判断を行う。
【０１４９】
この場合、前記報告モジュールは、さらに、本ＭＡＣエンティティに対応する搬送波またはほかのＭＡＣエンティティに対応する搬送波で、メインＭＡＣエンティティおよび補助ＭＡＣエンティティに対応する論理チャネルまたは論理チャネル群のバッファデータ量をネットワーク側に報告する。
【０１５０】
さらに、前記報告モジュールは、ＢＳＲ  ＭＡＣ  ＣＥ伝送用の搬送波を制限せずかつ異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別する。
【０１５１】
ベアラ用のパケット複製モードが端末にサポートされるか否かを、ネットワーク側が分かるように、選択可能に、本開示の一部実施例の端末は、
ベアラ用のパケット複製モードをサポートする能力指示情報が付帯された端末能力をネットワーク側に送信する端末能力送信モジュールをさらに含む。
【０１５２】
同一の発明思想に基づき、本開示の一部実施例は、ネットワーク側機器を提供する。
【０１５３】
図８を参照する。図８は、本開示の一部実施例におけるネットワーク側機器の構造ブロック図である。当該ネットワーク側機器は、
ベアラ用のパケット複製モードを設定または活性化する場合、メインＭＡＣエンティティおよび補助ＭＡＣエンティティが、端末から送信された複製後の伝送データを異なる搬送波でそれぞれ受信するようにトリガーする受信モジュールと、
前記メインＭＡＣエンティティおよび補助ＭＡＣエンティティが、前記伝送データを異なる論理チャネルで異なるＲＬＣエンティティに送信するようにトリガーする第１送信モジュールと、
前記ＲＬＣエンティティが、受信した伝送データをＰＤＣＰエンティティに送信するようにトリガーする第２送信モジュールと、を含む。
【０１５４】
本開示の一部実施例において、パケット複製モードのベアラは、少なくとも２つの論理チャネルに対応し、ここで、前記論理チャネルのそれぞれは、１つのＲＬＣエンティティに対応し、前記論理チャネルのそれぞれは、１つのＭＡＣエンティティに対応する。
【０１５５】
本開示の一部実施例において、伝送データの複製は、ＰＤＣＰエンティティによって実行されてもよく、ＰＤＣＰ層より上のプロトコル層によって実行されてもよい。
【０１５６】
すなわち、前記ネットワーク側機器は、ＰＤＣＰエンティティ、または、ＰＤＣＰ層より上のプロトコル層によってベアラの複製を実行するようにトリガーするベアラ複製実行モジュールをさらに含む。
【０１５７】
本開示の一部実施例において、補助ＭＡＣエンティティは、前記ネットワーク側機器の第１確立モジュール、第２確立モジュール、第３確立モジュールのうちの１つによって確立される。
第１確立モジュールは、メインＭＡＣエンティティの確立とともに前記補助ＭＡＣエンティティを確立する。
第２確立モジュールは、ベアラ用のパケット複製モードを設定または活性化する場合、前記パケット複製モードのベアラに対応する補助ＭＡＣエンティティを確立する。
第３確立モジュールは、サービス対象であるすべての端末のうちの最初の端末のパケット複製モードが設定または活性化された場合、前記パケット複製モードのベアラに対応する補助ＭＡＣエンティティを確立する。
【０１５８】
補助ＭＡＣエンティティが第２確立モジュールによって確立される場合、前記ネットワーク側機器は、
ベアラ用のパケット複製モードを設定解除または非活性化する場合、前記パケット複製モードのベアラに対応する補助ＭＡＣエンティティをリリースする第１リリースモジュールを含む。
補助ＭＡＣエンティティが第３確立モジュールによって確立される場合、前記ネットワーク側機器は、
前記ネットワーク側機器のサービス対象であるすべてのベアラのうち、パケット複製モードの最終ベアラ用のパケット複製モードを設定解除または非活性化する場合、前記パケット複製モードのベアラに対応する補助ＭＡＣエンティティをリリースする第２リリースモジュールをさらに含む。
【０１５９】
前記搬送波とメインＭＡＣエンティティおよび補助ＭＡＣエンティティとのマッピング関係を端末に通知するために、前記ネットワーク側機器は、
ベアラ用のパケット複製モードを設定または活性化する場合、前記搬送波とメインＭＡＣエンティティおよび補助ＭＡＣエンティティとのマッピング関係を、半静的または動的に前記端末に対し設定する第１設定モジュールをさらに含む。
【０１６０】
前記論理チャネルとメインＭＡＣエンティティおよび補助ＭＡＣエンティティとのマッピング関係、または、前記論理チャネルと搬送波とのマッピング関係を端末に通知するために、前記ネットワーク側機器は、
ベアラ用のパケット複製モードを設定または活性化する場合、前記論理チャネルとメインＭＡＣエンティティおよび補助ＭＡＣエンティティとのマッピング関係、または、前記論理チャネルと搬送波とのマッピング関係を、半静的または動的に前記端末に対し設定する第２設定モジュールをさらに含む。
【０１６１】
本開示の一部実施例において、メインＭＡＣエンティティおよび補助ＭＡＣエンティティの使用ルールは、以下のいずれかであるが、それらに限られない。
１）前記メインＭＡＣエンティティおよび補助ＭＡＣエンティティのいずれも、パケット複製モードの設定または活性化が行われていないベアラに対応する論理チャネル、およびパケット複製モードの設定または活性化が行われたベアラに対応する論理チャネルを搬送可能である。
この場合、選択可能に、前記ネットワーク側機器は、補助ＭＡＣエンティティがリリースされた場合、リリースされた補助ＭＡＣエンティティに搬送された論理チャネルであって、パケット複製モードの設定または活性化が行われていないベアラに対応する論理チャネルが自動的にメインＭＡＣエンティティに移行して搬送される移行モジュールをさらに含む。
２）前記メインＭＡＣエンティティは、パケット複製モードの設定または活性化が行われていないベアラに対応する論理チャネル、およびパケット複製モードの設定または活性化が行われたベアラに対応する論理チャネルを搬送可能であるが、前記補助ＭＡＣエンティティは、パケット複製モードの設定または活性化が行われたベアラに対応する論理チャネルのみを搬送可能である。
【０１６２】
本開示の一部実施例において、端末は、伝送データをネットワーク側機器に送信する前に、ＢＳＲ報告を行う。この場合、前記ネットワーク側機器は、
端末のメインＭＡＣエンティティおよび補助ＭＡＣエンティティに対応する論理チャネルまたは論理チャネル群のバッファデータ量を端末から受信し、端末のメインＭＡＣエンティティおよび補助ＭＡＣエンティティに対応する論理チャネルまたは論理チャネル群のバッファデータ量に基づいて、アップリンクリソーススケジューリングを行うスケジューリングモジュールをさらに含む。
【０１６３】
ベアラ用のパケット複製モードが端末にサポートされるか否かを、ネットワーク側が分かるように、選択可能に、ベアラ用のパケット複製モードをサポートする端末は、ベアラ用のパケット複製モードをサポートする能力指示情報が付帯された端末能力をネットワーク側に送信する。それに対応し、前記ネットワーク側機器は、ベアラ用のパケット複製モードをサポートする能力指示情報が付帯された端末能力を端末から受信する端末能力受信モジュールをさらに含む。
【０１６４】
本開示の一部実施例において、プロセッサと、バスインタフェースを介して前記プロセッサに接続されたメモリを含むデータ処理装置を提供する。前記メモリは、前記プロセッサによる操作実行に用いられるプログラムとデータを記憶する。プロセッサは、前記メモリに記憶されているプログラムとデータを呼び出して実行すると、以下の機能モジュールまたはユニット、すなわち第１送信モジュール、第２送信モジュール、第３送信モジュールを実現する。
第１送信モジュールは、ベアラ用のパケット複製モードがネットワーク側によって設定または活性化された場合、複製後の伝送データを異なるＲＬＣエンティティにそれぞれ送信する。
第２送信モジュールは、前記異なるＲＬＣエンティティのうちの１つのＲＬＣエンティティが、前記伝送データを１つの論理チャネルでメインＭＡＣエンティティに送信し、残りの各ＲＬＣエンティティが、前記伝送データを異なる論理チャネルで異なる補助ＭＡＣエンティティにそれぞれ送信するようにトリガーする。
第３送信モジュールは、前記メインＭＡＣエンティティと前記補助ＭＡＣエンティティが、前記伝送データを異なる搬送波でネットワーク側にそれぞれ送信するようにトリガーする。
【０１６５】
本開示の一部実施例において、プロセッサと、バスインタフェースを介して前記プロセッサに接続されたメモリを含むデータ処理装置を提供する。前記メモリは、前記プロセッサによる操作実行に用いられるプログラムとデータを記憶する。プロセッサは、前記メモリに記憶されているプログラムとデータを呼び出して実行すると、以下の機能モジュールまたはユニット、すなわち受信モジュール、第１送信モジュール、第２送信モジュールを実現する。
受信モジュールは、ベアラ用のパケット複製モードを設定または活性化する場合、メインＭＡＣエンティティおよび補助ＭＡＣエンティティが、端末から送信された複製後の伝送データを異なる搬送波でそれぞれ受信するようにトリガーする。
第１送信モジュールは、前記メインＭＡＣエンティティおよび補助ＭＡＣエンティティが、前記伝送データを異なる論理チャネルで異なるＲＬＣエンティティに送信するようにトリガーする。
第２送信モジュールは、前記ＲＬＣエンティティが、受信した伝送データをＰＤＣＰエンティティに送信するようにトリガーする。
【０１６６】
なお、本開示の一部実施例における装置は、上記方法実施例におけるデータ伝送方法を対応的に実現することのできる装置である。したがって、上記方法実施例におけるデータ伝送方法のすべての実施例は、上記の両実施例に適用可能であり、かつ同一または類似な効果を奏することもできる。
【０１６７】
本開示の一部実施例において、コンピュータプログラムが格納されているコンピュータ読み取り可能な記憶媒体を提供し、当該プログラムがプロセッサによって実行されると、上記のいずれか１つの実施例に記載のデータ伝送方法のステップが実現される。
【０１６８】
コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０１６９】
本開示の一部実施例において、プロセッサと、メモリとを含む端末を提供する。プロセッサは、メモリからプログラムを読み取ることによって、上記の端末側に応用されるデータ伝送方法のステップを実行する。
【０１７０】
本開示の一部実施例において、プロセッサと、メモリとを含むネットワーク側機器を提供する。プロセッサは、メモリからプログラムを読み取ることによって、上記のネットワーク側に応用されるデータ伝送方法のステップを実行する。
【０１７１】
本開示の実施例において、開示された方法および装置は、他の方式で実施され得ることを理解されたい。例えば、以上に記載された装置の実施例は、単なる例示である。例えば、前記ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【０１７２】
また、本開示の各実施例における各機能的ユニットは、１つの処理ユニットに一体化されていてもよいし、物理的に別々に設けられていてもよいし、２つ以上が一体化されてもよい。上述した一体化ユニットは、ハードウェアの形態で実現されてもよく、ソフトウェア機能ユニットの形態で実現されてもよい。
【０１７３】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１７４】
以上の記載は、本開示の一部の実施形態である。なお、当業者にとって、本開示に記載の原理を逸脱せずに複数の改良や修飾を行うこともでき、これらの改良や修飾も本開示の保護範囲として見なされるべきである。
【図１】
2020515195.tif 000003
【図２】
2020515195.tif 000004
【図３】
2020515195.tif 000005
【図４】
2020515195.tif 000006
【図５】
2020515195.tif 000007
【図６】
2020515195.tif 000008
【図７】
2020515195.tif 000009
【図８】
2020515195.tif 000010
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
端末に応用されるデータ伝送方法において、
ベアラ用のパケット複製モードがネットワーク側によって設定または活性化された場合、前記端末が、複製後の伝送データを異なるＲＬＣ（Ｒａｄｉｏ  Ｌｉｎｋ  Ｃｏｎｔｒｏｌ）エンティティにそれぞれ送信するステップと、
前記異なるＲＬＣエンティティのうちの１つのＲＬＣエンティティが、前記伝送データを１つの論理チャネルでメインＭＡＣ（Ｍｅｄｉａ  Ａｃｃｅｓｓ  Ｃｏｎｔｒｏｌ）エンティティに送信し、残りの各ＲＬＣエンティティが、前記伝送データを異なる論理チャネルで異なる補助ＭＡＣエンティティにそれぞれ送信するステップと、
前記メインＭＡＣエンティティと前記補助ＭＡＣエンティティが、前記伝送データを異なる搬送波でネットワーク側にそれぞれ送信するステップと、
を含むデータ伝送方法。
【請求項２】
ベアラ用のパケット複製モードがネットワーク側によって設定または活性化された場合、前記端末が、前記パケット複製モードのベアラに対応する補助ＭＡＣエンティティを確立するステップと、
ベアラ用のパケット複製モードがネットワーク側によって設定解除または非活性化された場合、前記端末が、前記パケット複製モードのベアラに対応する補助ＭＡＣエンティティをリリースするステップと、
をさらに含む請求項１に記載のデータ伝送方法。
【請求項３】
前記端末が、複製後の伝送データを異なるＲＬＣエンティティにそれぞれ送信するステップの前に、
ネットワーク側から半静的または動的に設定された前記搬送波とメインＭＡＣエンティティおよび補助ＭＡＣエンティティとのマッピング関係を受信するステップをさらに含み、
前記端末が、複製後の伝送データを異なるＲＬＣエンティティにそれぞれ送信するステップの前に、
ネットワーク側から半静的または動的に設定された前記論理チャネルとメインＭＡＣエンティティおよび補助ＭＡＣエンティティとのマッピング関係、または、前記論理チャネルと搬送波とのマッピング関係を受信するステップをさらに含む請求項１に記載のデータ伝送方法。
【請求項４】
前記メインＭＡＣエンティティおよび補助ＭＡＣエンティティのいずれも、
パケット複製モードの設定または活性化が行われていないベアラに対応する論理チャネル、およびパケット複製モードの設定または活性化が行われたベアラに対応する論理チャネルを搬送可能である請求項１に記載のデータ伝送方法。
【請求項５】
補助ＭＡＣエンティティがリリースされた場合、リリースされた補助ＭＡＣエンティティに搬送された論理チャネルであって、パケット複製モードの設定または活性化が行われていないベアラに対応する論理チャネルは、自動的にメインＭＡＣエンティティに移行して搬送される請求項４に記載のデータ伝送方法。
【請求項６】
前記メインＭＡＣエンティティは、
パケット複製モードの設定または活性化が行われていないベアラに対応する論理チャネル、およびパケット複製モードの設定または活性化が行われたベアラに対応する論理チャネルを搬送可能であり、
前記補助ＭＡＣエンティティは、
パケット複製モードの設定または活性化が行われたベアラに対応する論理チャネルのみを搬送可能である請求項１に記載のデータ伝送方法。
【請求項７】
ＢＳＲ（Ｂｕｆｆｅｒ  Ｓｔａｔｅ  Ｒｅｐｏｒｔｉｎｇ）報告トリガー判断を行うステップと、
ＢＳＲの報告が必要であると判断された場合、メインＭＡＣエンティティおよび補助ＭＡＣエンティティに対応する論理チャネルまたは論理チャネル群のバッファデータ量をネットワーク側に報告するステップとをさらに含む請求項１に記載のデータ伝送方法。
【請求項８】
前記端末に基づいてＢＳＲ報告トリガー判断を行う請求項７に記載のデータ伝送方法。
【請求項９】
前記メインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティのうちのいずれか１つのＭＡＣエンティティに対応する搬送波で、メインＭＡＣエンティティおよび補助ＭＡＣエンティティに対応する論理チャネルまたは論理チャネル群のバッファデータ量をネットワーク側に報告するステップを含む請求項８に記載のデータ伝送方法。
【請求項１０】
前記メインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティに対応する論理チャネルまたは論理チャネル群のバッファデータ量を１つのＢＳＲ  ＭＡＣ  ＣＥ（Ｃｏｎｔｒｏｌ  Ｅｌｅｍｅｎｔ）でネットワーク側に報告するステップを含み、
前記メインＭＡＣエンティティおよび補助ＭＡＣエンティティに対応する論理チャネルまたは論理チャネル群のバッファデータ量をネットワーク側に報告するステップは、
メインＭＡＣエンティティおよび補助ＭＡＣエンティティに対応する論理チャネルまたは論理チャネル群のバッファデータ量を１つのＭＡＣ  ＰＤＵ（Ｐｒｏｔｏｃｏｌ  Ｄａｔａ  Ｕｎｉｔ）のうちの複数の独立なＢＳＲ  ＭＡＣ  ＣＥでネットワーク側に報告するステップを含む請求項９に記載のデータ伝送方法。
【請求項１１】
ＭＡＣエンティティに基づいてＢＳＲ報告トリガー判断を行い、
前記メインＭＡＣエンティティおよび補助ＭＡＣエンティティに対応する論理チャネルまたは論理チャネル群のバッファデータ量をネットワーク側に報告するステップは、
本ＭＡＣエンティティに対応する搬送波またはほかのＭＡＣエンティティに対応する搬送波で、メインＭＡＣエンティティおよび補助ＭＡＣエンティティに対応する論理チャネルまたは論理チャネル群のバッファデータ量をネットワーク側に報告するステップを含む請求項７に記載のデータ伝送方法。
【請求項１２】
前記メインＭＡＣエンティティおよび補助ＭＡＣエンティティに対応する論理チャネルまたは論理チャネル群のバッファデータ量をネットワーク側に報告するステップは、
ＢＳＲ  ＭＡＣ  ＣＥ伝送用の搬送波を制限せずかつ異なるＭＡＣエンティティに対応する論理チャネルまたは論理チャネル群の番号に重複が存在する場合、前記ＢＳＲ  ＭＡＣ  ＣＥにＩＤ情報を追加し、論理チャネルまたは論理チャネル群とＭＡＣエンティティとの対応関係を識別するステップを含む請求項１０または１１に記載のデータ伝送方法。
【請求項１３】
ネットワーク側機器に応用されるデータ伝送方法において、
ベアラ用のパケット複製モードを設定または活性化する場合、前記ネットワーク側機器のメインＭＡＣエンティティおよび補助ＭＡＣエンティティが、端末から送信された複製後の伝送データを異なる搬送波でそれぞれ受信するステップと、
前記メインＭＡＣエンティティおよび補助ＭＡＣエンティティが、前記伝送データを異なる論理チャネルで異なるＲＬＣエンティティに送信するステップと、
前記ＲＬＣエンティティが、受信した伝送データをＰＤＣＰ（Ｐａｃｋｅｔ  Ｄａｔａ  Ｃｏｎｖｅｒｇｅｎｃｅ  Ｐｒｏｔｏｃｏｌ）エンティティに送信するステップと、
を含むデータ伝送方法。
【請求項１４】
ベアラ用のパケット複製モードがネットワーク側によって設定または活性化された場合、複製後の伝送データを異なるＲＬＣエンティティにそれぞれ送信する第１送信モジュールと、
前記異なるＲＬＣエンティティのうちの１つのＲＬＣエンティティが、前記伝送データを１つの論理チャネルでメインＭＡＣエンティティに送信し、残りの各ＲＬＣエンティティが、前記伝送データを異なる論理チャネルで異なる補助ＭＡＣエンティティにそれぞれ送信するようにトリガーする第２送信モジュールと、
前記メインＭＡＣエンティティと前記補助ＭＡＣエンティティが、前記伝送データを異なる搬送波でネットワーク側にそれぞれ送信するようにトリガーする第３送信モジュールと、
を含む端末。
【請求項１５】
ベアラ用のパケット複製モードを設定または活性化する場合、メインＭＡＣエンティティおよび補助ＭＡＣエンティティが、端末から送信された複製後の伝送データを異なる搬送波でそれぞれ受信するようにトリガーする受信モジュールと、
前記メインＭＡＣエンティティおよび補助ＭＡＣエンティティが、前記伝送データを異なる論理チャネルで異なるＲＬＣエンティティに送信するようにトリガーする第１送信モジュールと、
前記ＲＬＣエンティティが、受信した伝送データをＰＤＣＰエンティティに送信するようにトリガーする第２送信モジュールとを含むネットワーク側機器。
【国際調査報告】
2020515195.tif 000011
2020515195.tif 000012
2020515195.tif 000013
2020515195.tif 000014